(57)【要約】  比較的小さな疾患部の治療に適した、平坦では無い患部に対しても、患部全体に対してほぼ均一で効率的な光照射を実現する。複数のＬＥＤチップ（５）が出射する光は、３８０ｎｍ以上４３０ｎｍ以下の波長範囲に発光強度のピークを有する第１波長域光と、４３０ｎｍよりも波長が長く、６３５ｎｍ以下の波長範囲に発光強度のピークを有する第２波長域光とを含んでおり、ＬＥＤ光源群は面内光照射強度が均一である。
2017110194.tif 000002
【特許請求の範囲】
【請求項１】
少なくとも１個のＬＥＤ光源をフレキシブル基板に二次元配置してなるＬＥＤ光源群を備えており、
上記ＬＥＤ光源群が出射する光は、
３８０ｎｍ以上４３０ｎｍ以下の波長範囲に発光強度のピークを有する第１波長域光と、
４３０ｎｍよりも波長が長く、６３５ｎｍ以下の波長範囲に発光強度のピークを有する第２波長域光とを含んでおり、
上記ＬＥＤ光源群は面内光照射強度が均一であることを特徴とする光照射装置。
【請求項２】
少なくとも１個の上記ＬＥＤ光源は、
上記第１波長域光を出射するＬＥＤ素子と、
上記ＬＥＤ素子が出射した上記第１波長域光を吸収して、上記第２波長域光を放出する波長変換部材とを有していることを特徴とする請求項１に記載の光照射装置。
【請求項３】
上記ＬＥＤ光源群は、
上記ＬＥＤ光源の１個であり、上記第１波長域光を出射する第１ＬＥＤ素子と、
上記第１ＬＥＤ素子とは異なる上記ＬＥＤ光源の１個であり、上記第２波長域光を出射する第２ＬＥＤ素子とを備えていることを特徴とする請求項１に記載の光照射装置。
【請求項４】
上記ＬＥＤ光源群は、少なくとも２個の第２ＬＥＤ素子を備えており、
上記第１ＬＥＤ素子および上記２個の第２ＬＥＤ素子の上面視は矩形であり、
上記２個の第２ＬＥＤ素子の間に１個の上記第１ＬＥＤ素子が配置されており、
上記２個の第２ＬＥＤ素子における上記矩形の各辺と上記１個の第１ＬＥＤ素子における上記矩形の各辺とが対向しないように配置されていることを特徴とする請求項３に記載の光照射装置。
【請求項５】
前記ＬＥＤ素子を二次元配置したフレキシブル基板の出射光側表面には、少なくとも一層のスペーサが備えられていると共に、
前記波長変換部材は蛍光体であり、前記少なくとも一層のスペーサのうちの少なくとも一層のスペーサ内に前記蛍光体が含有されていることを特徴とする請求項２に記載の光照射装置。
【請求項６】
前記スペーサは、前記ＬＥＤ素子を二次元配置したフレキシブル基板に脱着可能となっていることを特徴とする請求項５に記載の光照射装置。
【請求項７】
請求項１から６のいずれか１項に記載の光照射装置を備えていることを特徴とする光治療器。
【発明の詳細な説明】
【技術分野】
【０００１】
本発明は、光照射装置および光治療器に関する。
【背景技術】
【０００２】
光線力学治療（Photo Dynamic Therapy；ＰＤＴ）は、異常細胞や腫瘍に親和性をもつ光感受性物質に、ある特定の波長の光を照射することにより起こる化学反応で活性酸素等を生成し、その殺菌力により異常細胞や腫瘍を壊死させる治療法である。正常な細胞に損傷を与えないことから、ＱＯＬ（Quolity Of Life）の観点から最近非常に注目されている。【０００３】
ところで、ＰＤＴに使用される光源としてはレーザが主流となっている。その理由としては、レーザは単色光であり吸収帯が狭い光感受性物質を効果的に励起できること、光強度密度が高いこと、パルス光を発生できること等があげられる。しかし、レーザ光は通常スポット光であり、照射可能範囲が狭く、皮膚疾患等の治療には適していない。【０００４】
最近、メチシリン耐性黄色ブドウ球菌（ＭＲＳＡ）感染皮膚潰瘍を、世界で初めて天然アミノ酸である５−アミノレブリン酸（ＡＬＡ）の全身投与と波長４１０ｎｍのＬＥＤ光を用いたＰＤＴで治療することに成功したと、大阪市立大学大学院医学研究科の鶴田大輔教授、小澤俊幸講師等のグループから発表された（非特許文献１）。ＡＬＡは、ヘム生合成経路においてポルフィリン系化合物の前駆物質であり、それ自体に光増感性はない。生理的には、一定量のヘムが産生されると、ネガティブ・フィードバック機構によってＡＬＡの生合成が阻害される。しかし、外因性のＡＬＡが過剰に投与されると、ネガティブ・フィードバック機構が無効となり、ヘム生合成における律速酵素であるフェロキラターゼが枯渇し、生体内因性のポルフィリン系化合物、特にプロトポルフィリンＩＸ（ＰｐＩＸ）が細胞内に多量に蓄積される。ＡＬＡを用いたＰＤＴにおいては、このＰｐＩＸを光増感性物質として利用する。この治療法は、新たな耐性菌を生じる事がないために、耐性菌治療に難渋する現代医療における新たな細菌感染の治療法として期待されている。【０００５】
一方、非特許文献１において、ＰｐＩＸの吸収スペクトルが開示されている。ＰｐＩＸの光吸収ピークは、波長４１０ｎｍ、５１０ｎｍ、５４５ｎｍ、５８０ｎｍ、６３５ｎｍに位置することが記載されている。【０００６】
一般的に光治療に関しては、新生児黄疸、乾癬、ニキビ、等の疾患治療や、痛みの緩和、美容等、多様な目的で利用されている。新生児黄疸治療には緑色光、青白色光が、乾癬治療には紫外光が、ニキビ治療には青色光、赤色光、黄色光が使用されている。早期肺癌（病期０期または病期１期肺癌）、表在型食道癌、表在型早期胃癌、子宮頸部初期癌、および異形成治療には赤色光が使用されている。このように、用途によって種々の光源が用いられている。【０００７】
このような技術を普及させるため、種々の３次元的形状、サイズを有する患部に均一に光を照射することが出来る光照射装置が求められている。【０００８】
従来、光照射装置としては、エキシマランプやアーク灯等の光源を用いた装置、レーザを光源として用いた装置、光ファイバを用いて面状に治療光を照射する方式の装置等が知られている。
【先行技術文献】
【特許文献】
【０００９】
【特許文献１】日本国公開特許公報「特開平９−３８２２１号（１９９７年２月１０日公開）」
【特許文献２】日本国公開特許公報「特開平１１−１９２３１５号（１９９９年７月２１日公開）」
【特許文献３】日本国公表特許公報「特表２００７−５１８４６７号（２００７年７月１２日公表）」
【特許文献４】日本国公表特許公報「特表２０１３−５３２５０３号（２０１３年８月１９日公表）」
【特許文献５】日本国公開特許公報「特開２０１５−２４０６０号（２０１５年２月５日公開）」
【非特許文献】
【００１０】
【非特許文献１】https://www.osaka-cu.ac.jp/ja/news/2014/files/setumei_140819.pdf
【発明の概要】
【発明が解決しようとする課題】
【００１１】
しかしながら、上述した従来の光照射装置では、特に、数ｃｍ程度の比較的小面積の局所的疾患に対して光治療を行う場合、以下の課題がある。【００１２】
エキシマランプやアーク灯等のランプ型の光源を用いる場合には、照射面積が大き過ぎて患部以外にも光が当たるため、正常部位に対する種々の副作用が懸念される。したがって、正常部位への治療光の照射を防ぐ何らかの遮蔽対策が必要であり、治療に時間と手間がかかることとなる。例えば、顔の一部にできた疾患を治療する場合、正常部位である目を保護するアイマスク（目隠し）が必要であり、さらに、顔の正常部位を保護するために、顔の患部のみを露出するようにしたマスクも必要となる。また、患者は治療のために身体を拘束された状態で、数十分の間不動の姿勢を保つ必要があり、治療のためとは言え、これは好ましい経験ではない。また、患部が、例えば、腕、足、顔、臀部のように湾曲した表面を有する場合には、表側、裏側、横側等部位によっては、ランプ型の照射装置では、患者に無理な姿勢を強いることになりかねない。また、湾曲部を有する患部のランプに対する角度や距離によって、患部の場所によって照射強度が異なり、患部全体に対して均一の光照射を行う事が難しい場合が生じる。さらに、この様なランプ型の光源を用いた装置は、電源や冷却装置等の付属装置も多く、大型であるため、設置するためには大きなスペースを要すると共にその価格が高額になる。したがって、治療施設にしか設置できず、治療のための通院が必須となる。【００１３】
レーザを光源として用いた装置においては、その照射光は照射面積が小さいスポット光となる為、大面積の患部全体に治療光を照射するためにはスポット光を走査することが必要となり、装置が複雑および高価になってしまう。【００１４】
光ファイバを用いて、面状に治療光を照射する方式の装置では、光ファイバへ光を送り込む効率が比較的低いため、どうしても治療光の照射パワーが低くなり、比較的長時間の治療にしか向かない。【００１５】
そこで、患部から一定距離を保ち（場合によっては接触し）、患部の形状に沿って患部を覆うことができる、均一に光照射できる光源を備えたフレキシブル基板が求められている。【００１６】
なお、このような要望に対して、以下で説明するような幾つかの技術が提案されている。【００１７】
特許文献１には、フレキシブルな基板に多数個のＬＥＤを取り付けることにより、自由形状でしかも曲げることが可能な、面状光源帯（ガードル）やガウンなど衣類の形をした光治療器が開示されている。しかし、特許文献１には、２つの波長を有する光を治療に使うことについての開示は無く、患部に効率良く、均一に光照射するための具体的な開示も無い。【００１８】
特許文献２には、フレキシブルな基板に近赤外線ＬＥＤを取り付けた温熱治療器が開示されている。しかし、２つの波長を有する光を治療に使うことについての開示は無く、患部に効率良く、均一に光照射するための具体的な開示も無い。【００１９】
特許文献３には、フレキシブルな基板に２波長以上の光を発する有機ＥＬを取り付けた治療器が開示されている。しかし、２つの波長を有するＬＥＤの光を治療に使うことについての開示はあるが、患部に効率良く、均一に光照射するための具体的な開示は無い。【００２０】
特許文献４には、使い捨ての接着シートを有する、光を使った医療器具が開示されている。しかし、２つの波長を有するＬＥＤの光を治療に使うことについての開示は無く、患部に効率良く、均一に光照射するための具体的な開示も無い。【００２１】
特許文献５には、青色ＬＥＤと緑色ＬＥＤを組み合わせた黄疸治療のための光治療器が開示されている。しかし、２つの波長を有するＬＥＤの光を治療に使うことについての開示はあるが、フレキシブルＬＥＤでは無いし、患部に効率良く均一に光照射するための具体的な開示も無い。【００２２】
つまり、これらの技術は、本願の解決する課題に関し、何れも実現していないか、もしくは、広く用いられる状況には無い。【００２３】
本発明は、前記の問題点に鑑みてなされたものであり、その目的は、比較的小さな疾患部の治療に適した、平坦ではない患部に対しても、患部全体に対してほぼ均一で効率的な２つの波長の光照射を実現することができる、光照射装置および光治療器を提供することにある。
【課題を解決するための手段】
【００２４】
上記の課題を解決するために、本発明の一態様に係る光照射装置は、少なくとも１個のＬＥＤ光源をフレキシブル基板に二次元配置してなるＬＥＤ光源群を備えており、上記ＬＥＤ光源群が出射する光は、３８０ｎｍ以上４３０ｎｍ以下の波長範囲に発光強度のピークを有する第１波長域光と、４３０ｎｍよりも波長が長く、６３５ｎｍ以下の波長範囲に発光強度のピークを有する第２波長域光とを含んでおり、上記ＬＥＤ光源群は面内光照射強度が均一であることを特徴としている。【００２５】
なお、本明細書において面内光照射強度が均一であるとは例えば、図２１に示すように、最外周のＬＥＤチップ５の中心線で囲まれるエリアにおいて、
１．３８０ｎｍ以上４３０ｎｍ以下の波長範囲（第１波長域）光の放射照度(ｍＷ／ｃｍ２)をＰ１（λ）、４３０ｎｍよりも波長が長く、６３５ｎｍ以下の波長範囲（第２波長域）光の放射照度をＰ２（λ）が上記第１波長域光の面内最大放射照度をＰ１ｍａｘ（λ）、上記第２波長域の面内最大放射照度をＰ２ｍａｘ（λ）、ＰｐＩＸの吸収係数をα（λ）とした時、上記第１波長域光の面内均一度Ｕ１と上記第２波長域の面内均一度Ｕ２について、
Ｕ１＝０．５≦∫Ｐ１（λ）／∫Ｐ１ｍａｘ（λ）ｄλ≦１                    式（１）
かつ、
Ｕ２＝０．５≦∫Ｐ２（λ）ｄλ／∫Ｐ２ｍａｘ（λ）ｄλ≦１                式（２）
が成り立つ場合を言う。【００２６】
Ｕ１、Ｕ２が０．５よりも小さい場合、最低光エネルギー密度をＪｍｉｎ（光増感性物質の種類と対象疾患により決まる）、光照射時間をｔとした時、最低放射照度Ｐｍｉｎは、
Ｐｍｉｎ＝Ｊｍｉｎ／ｔ
で表される。被照射物の面内において、最低放射照度以上の光照射を行うためには、最低放射照度の少なくとも２倍よりも大きな放射照度が必要となる。光治療において、光が強すぎる場合、光増感性物質の種類によっては、全ての人にとって耐え難い痛みを伴うことが考えられる。そのため、０．５以上であることが望ましい。【００２７】
最も望ましくは０．７以上であり、Ｕ１、Ｕ２が０．５以上０．７よりも小さい場合、人によっては耐えがたい痛みを伴うことが考えられる。そのため、０．７以上であるとなお望ましい。【００２８】
あるいは、
２．第１波長域光のエネルギー密度Ｊ１（λ）、第２波長域光のエネルギー密度Ｊ２（λ）はそれぞれ、Ｊ１（λ）＝∫Ｐ１（λ）ｄｔ、Ｊ２（λ）＝∫Ｐ２（λ）ｄｔと表されるが、上記第１波長域光の面内最大エネルギー密度をＪ１ｍａｘ（λ）、上記第２波長域の面内最大エネルギー密度をＪ２ｍａｘ（λ）とした時、上記第１波長域光のエネルギー密度の均一度Ｕ３、第２波長域光のエネルギー密度の均一度Ｕ４について、
Ｕ３＝０．５≦∫Ｊ１（λ）／∫Ｊ１ｍａｘ（λ）ｄλ≦１                    式（３）
かつ、
Ｕ４＝０．５≦∫Ｊ２（λ）ｄλ／∫Ｊ２ｍａｘ（λ）ｄλ≦１                式（４）
が成り立つ場合を言う。【００２９】
Ｕ３、Ｕ４が０．５よりも小さい場合、被照射物（患部）の面内において、最低光エネルギー密度の少なくとも２倍よりも大きなエネルギー密度、すなわち放射照度が必要となる。光治療において、光が強すぎる場合、光増感性物質の種類によっては、全ての人にとって耐え難い痛みを伴うことが考えられる。そのため、０．５以上であることが望ましい。【００３０】
最も望ましくは０．７以上であり、Ｕ３、Ｕ４が０．５以上０．７よりも小さい場合、人によっては耐えがたい痛みを伴うことが考えられる。そのため、０．７以上であるとなお望ましい。【００３１】
あるいは、
３．ポルフィリンＩＸ（ＰｐＩＸ）などの光増感性物質を使用する場合、ＰｐＩＸの吸収係数をα（λ）とした時、第１波長域光の面内光均一度Ｕ５、第２波長域光の面内均一度Ｕ６について、
Ｕ５＝０．５≦∫Ｐ１（λ）α（λ）ｄλ／∫Ｐ１ｍａｘ（λ）α（λ）ｄλ≦１
式（５）
かつ、
Ｕ６＝０．５≦∫Ｐ２（λ）α（λ）ｄλ／∫Ｐ２ｍａｘ（λ）α（λ）ｄλ≦１
式（６）
が成り立つ場合を言う。【００３２】
Ｕ５、Ｕ６が０．５よりも小さい場合、被照射物の面内において、最低放射照度以上の光照射を行うためには、最低放射照度の少なくとも２倍よりも大きな放射照度が必要となる。光治療において、光が強すぎる場合、光増感性物質の種類によっては、全ての人にとって耐え難い痛みを伴うことが考えられる。そのため、０．５以上であることが望ましい。【００３３】
最も望ましくは０．７以上であり、Ｕ５、Ｕ６が０．５以上０．７よりも小さい場合、人によっては耐えがたい痛みを伴うことが考えられる。そのため、０．７以上であるとなお望ましい。【００３４】
あるいは、
４．３．と同様に光増感性物質を使用する場合、第１波長域光の面内エネルギー均一度Ｕ７、第２波長域光の面内エネルギー均一度Ｕ８について、
Ｕ７＝０．５≦∫Ｊ１（λ）α（λ）ｄλ／∫Ｊ１ｍａｘ（λ）α（λ）ｄλ≦１
式（７）
かつ、
Ｕ８＝０．５≦∫Ｊ２（λ）α（λ）ｄλ／∫Ｊ２ｍａｘ（λ）α（λ）ｄλ≦１
式（８）
が成り立つ場合を言う。【００３５】
Ｕ７、Ｕ８が０．５よりも小さい場合、被照射物（患部）の面内において、最低光エネルギー密度の少なくとも２倍よりも大きなエネルギー密度、すなわち放射照度が必要となる。光治療において、光が強すぎる場合、光増感性物質の種類によっては、全ての人にとって耐え難い痛みを伴うことが考えられる。そのため、０．５以上であることが望ましい。【００３６】
最も望ましくは０．７以上であり、Ｕ７、Ｕ８が０．５以上０．７よりも小さい場合、人によっては耐えがたい痛みを伴うことが考えられる。そのため、０．７以上であるとなお望ましい。【００３７】
また、上記の問題を解決するために、本発明の別の態様に係る光治療器は、本発明の一態様に係る光照射装置を備えていることを特徴としている。
【発明の効果】
【００３８】
本発明の各態様によれば、比較的小さな疾患部の治療に適した、平坦では無い患部に対しても、患部全体に対してほぼ均一で効率的な光照射を実現することができる。
【図面の簡単な説明】
【００３９】
【図１】本発明の実施形態１に係る光照射用基板の構成を示す断面模式図である。
【図２】本発明の実施形態１に係る光照射用基板の構成を示す表面模式図である。
【図３】本発明の実施形態１に係る光照射用基板の構成を示す裏面模式図である。
【図４】本発明の実施形態１に係る光照射用基板の発光スペクトルの第１例を示すグラフである。
【図５】本発明の実施形態１に係る光照射用基板の発光スペクトルの第２例を示すグラフである。
【図６】本発明の実施形態１に係る光照射用基板の発光スペクトルの第３例を示すグラフである。
【図７】本発明の実施形態１に係る光照射用基板の発光スペクトルの第４例を示すグラフである。
【図８】本発明の実施形態１に係る光照射用基板の発光スペクトルの第５例を示すグラフである。
【図９】本発明の実施形態１に係る光照射用基板の発光スペクトルの第６例を示すグラフである。
【図１０】本発明の実施形態１に係る光照射用基板の発光スペクトルの第７例を示すグラフである。
【図１１】本発明の実施形態１に係る光照射用基板の発光スペクトルの第８例を示すグラフである。
【図１２】本発明の実施形態１に係る光照射用基板の発光スペクトルの第９例を示すグラフである。
【図１３】本発明の実施形態１に係る光照射用基板の発光スペクトルの第１０例を示すグラフである。
【図１４】本発明の実施形態１に係る光照射用基板の発光スペクトルの第１１例を示すグラフである。
【図１５】本発明の実施形態１に係る光照射用基板の発光スペクトルの第１２例を示すグラフである。
【図１６】本発明の実施形態１に係る光照射用基板の発光スペクトルの第１３例を示すグラフである。
【図１７】本発明の実施形態１に係る光照射用基板の発光スペクトルの第１４例を示すグラフである。
【図１８】本発明の実施形態１に係る光照射用基板の発光スペクトルの第１５例を示すグラフである。
【図１９】本発明の実施形態１に係る各蛍光体の比較表である。
【図２０】本発明の実施形態１〜８に係る光照射用基板の光治療器としての形態を示す断面模式図である。
【図２１】本発明の実施形態１に係る均一性の定義説明のための模式図である。
【図２２】本発明の実施形態２に係る光照射用基板の構成を示す断面模式図である。
【図２３】本発明の実施形態２に係る光照射用基板の構成を示す表面模式図である。
【図２４】本発明の実施形態２に係る光照射用基板の構成を示す裏面模式図である。
【図２５】本発明の実施形態３に係る光照射用基板の構成を示す断面模式図である。
【図２６】本発明の実施形態３に係る光照射用基板の構成を示す表面模式図である。
【図２７】本発明の実施形態３に係る光照射用基板の構成を示す裏面模式図である。
【図２８】本発明の実施形態３に係る光照射用基板の発光スペクトルの例を示すグラフである。
【図２９】本発明の実施形態４に係る光照射用基板の構成を示す断面模式図である。
【図３０】本発明の実施形態４に係る光照射用基板の構成を示す表面模式図である。
【図３１】本発明の実施形態４に係る光照射用基板の構成を示す裏面模式図である。
【図３２】本発明の実施形態５に係る光照射用基板の構成を示す表面模式図である。
【図３３】本発明の実施形態６に係る光照射用基板の構成を示す表面模式図である。
【図３４】本発明の実施形態６に係る光照射用基板の発光スペクトルの例を示すグラフである。
【図３５】本発明の実施形態７に係る光照射用基板の構成を示す表面模式図である。
【図３６】本発明の実施形態７に係る光照射用基板の発光スペクトルの例を示すグラフである。
【図３７】本発明の実施形態８に係る光照射用基板の説明のための表面模式図である。
【図３８】本発明の実施形態８に係る光照射用基板の説明のための裏面模式図である。
【図３９】本発明の実施形態９に係る光照射用基板の説明のための裏面模式図である。
【図４０】本発明の実施形態９に係る光照射用基板の発光スペクトルの一例を示すグラフである。
【図４１】本発明の実施形態９に係る光照射用基板の光治療器としての形態を示す断面模式図である。
【図４２】本発明の実施形態９に係る光照射用基板に波長変換部材含有スペーサを取り付けたときの発光スペクトルの一例を示すグラフである。
【図４３】本発明の実施形態１０に係る光照射用基板の光治療器としての形態を示す断面模式図である。
【図４４】本発明の実施形態１１に係る光照射用基板の光治療器としての形態を示す断面模式図である。
【発明を実施するための形態】
【００４０】
以下、本発明の実施形態について、詳細に説明する。但し、以下の実施形態に記載されている構成要素の各寸法、材質、形状、相対配置、加工法等はあくまで一実施形態に過ぎず、これらによってこの発明の範囲が限定解釈されるべきではない。さらに図面は模式的なものであり、寸法の比率、形状は現実のものとは異なる。
【００４１】
〔実施形態１〕
本発明の一実施形態について、図１〜図３に基づいて説明すれば、以下の通りである。なお、以下では、光照射用基板におけるＬＥＤ（発光ダイオード）搭載面を表面（第１面）とし、ＬＥＤチップ搭載面とは反対側の面を裏面（第２面）として説明する。
【００４２】
（光照射用基板１）
図１は、本実施形態に係る光照射用基板（光照射装置）１の構成を示す断面模式図である。図２は、本実施形態に係る光照射用基板１の構成を示す表面模式図である。図３は、本実施形態に係る光照射用基板１の構成を示す表面模式図である。
【００４３】
図１は、図２に示す光照射用基板１のＡ−Ａ´線の断面図に相当する。但し、図２では図示の便宜上、ＬＥＤ保護樹脂７の図示を省略している。
【００４４】
図１〜３に示すように、光照射用基板１は、フレキシブル基板２、絶縁分離溝３で互いに絶縁分離された複数の配線（配線パターン、第１面配線）４、複数のＬＥＤチップ（ＬＥＤ素子）５、複数のボンディングワイヤ６、ＬＥＤ保護樹脂７、波長変換部材１５、複数の裏側配線８、接続部シール９、および外部接続部１０、を備えている。全てのＬＥＤチップ５の集合が、本発明に係るＬＥＤ光源群に対応する。
【００４５】
フレキシブル基板２の一方の主面（表面、第１面）には、配線４が形成されている。配線４上には、光源となるＬＥＤチップ５が搭載されている。各配線４間は、絶縁分離溝３で絶縁分離されており、１つの配線４に、１つのＬＥＤチップ５が搭載されている。ＬＥＤチップ５は、該ＬＥＤチップ５が搭載された配線４および該配線４とＹ方向に絶縁分離溝３を介して隣り合う配線４に対し、それぞれボンディングワイヤ６で接続されている。複数のＬＥＤチップ５は、後述するとおり、フレキシブル基板２に二次元配置されている。
【００４６】
ＬＥＤチップ５およびボンディングワイヤ６は、保護膜としてのＬＥＤ保護樹脂７で覆われている。ＬＥＤ保護樹脂７には、ＬＥＤチップ５が出射する第１波長域光を吸収することにより、第２波長域光を放出する波長変換部材１５が含まれている。第１波長域光および第２波長域光の詳細については後述する。
【００４７】
一方、フレキシブル基板２の他方の主面（裏面、第２面）には、裏側配線８が形成されている。
【００４８】
フレキシブル基板２には、該フレキシブル基板を貫通する接続穴１１が形成されている。配線４と裏側配線８とは、接続穴１１を介して接続されている。また、配線４は、裏側配線８を介して外部接続部１０と電気的に接続されている。外部接続部１０と裏側配線８との結線部は、接続部シール９で絶縁分離されている。
【００４９】
次に、光照射用基板１における各構成要素について、より詳細に説明する。
【００５０】
（フレキシブル基板２）
フレキシブル基板２は、絶縁性基板であり、例えばポリイミド等の絶縁性フィルムで形成されている。但し、フレキシブル基板２の材料はポリイミドに限る必要は無く、絶縁性の素材で、必要な強度とフレキシビリティを有するなら、どのような材料でも使用できる。上記フレキシブル基板５としては、ポリイミド樹脂フィルム以外にも、例えば、フッ素樹脂、シリコーン樹脂、ポリエチレンテレフタレート樹脂等のフィルムや、これらのフィルムの表面に白色顔料を含む樹脂（白樹脂、白レジスト、等）を塗布した高反射性の樹脂フィルム、白色顔料を混合した高反射性樹脂フィルム等、様々な材料が使用可能である。高反射性材料は、コストは高いが、基板の反射性が高く、光照射効率を向上できる。安価な透明樹脂では、基板の裏面に漏れる光への対策が必要な場合がある。
【００５１】
光治療を適用する患部には、種々の形状、サイズ、面積がある。このため、フレキシブル基板２の大きさ、およびフレキシブル基板２の形状は、特に限定されない。フレキシブル基板２は、患部を覆う大きさを有していればよいが、光照射用基板１が患部のみを覆って光照射する大きさを有していることで、患者に対する拘束性を少なくし、患者に対する負担を最小限に抑制することができる。
【００５２】
光照射用基板１は、数ｃｍ程度の比較的小面積の局所的疾患に好適に使用される。フレキシブル基板２は、この局所的疾患に対応した大きさに形成されていることが望ましい。
【００５３】
フレキシブル基板２の厚みは、必要な強度とフレキシビリティとを有していれば、特に限定されない。本実施形態では５０μｍ厚のフィルムを用いたが、他の厚さでもよい。
【００５４】
（配線４）
フレキシブル基板２上には、銀メッキ層１２と、表面が銀メッキ層１２で覆われた銅メッキ層１３（銅メッキ配線、第１導電材料）とからなる配線４が形成されている。
【００５５】
配線４は、例えば、ポリイミド製フィルムからなるフレキシブル基板２の表面に銅メッキを施し、絶縁分離溝３を形成することでパターン化された銅メッキ層１３を形成し、該銅メッキ層１３の表面を銀メッキすることで形成することができる。
【００５６】
配線材料は、抵抗が低く、その表面の反射率が高くなければならない。特に、光照射時のロスを低減するためには、反射によるエネルギーロスは最小限にする必要がある。そのためには、全光束反射率を、少なくとも８０％、望ましくは９０％以上にする必要がある。ここで全光束反射率とは、鏡面反射の反射率ではなく、入射光のエネルギーに対する、拡散反射された全ての反射光を積分した光エネルギーの割合を示す。
【００５７】
このため、フレキシブル基板２の表側の配線４の少なくとも表面には、全光束反射率が８０％以上の反射材料（以下、「高反射率材料」と称する）、望ましくは、全光束反射率が９０％以上の高反射率材料が使用される。これは、患部から反射されてくる光をできる限り反射して患部に戻し、光のロスを最小限に抑制するためである。
【００５８】
配線４が、表面に銀メッキ層１２を有していない場合、銅メッキ層１３による光吸収が生じ、光照射用基板１による照射時間を１．２倍に長くする必要がある場合が有った。
【００５９】
なお、上記高反射率材料としては、正反射材料であってもよく、拡散反射材料であってもよい。本実施形態では、配線４に、上述したように、表面に銀メッキを施した、銅メッキ層１３からなる銅配線を用いたが、配線４あるいは配線４の表面には、例えばアルミニウム等の材料を使用してもよい。
【００６０】
以下、配線４による配線パターンを、第１導電材料パターン１４と称する。本実施形態では、第１導電材料パターン１４が、できる限り広い面積に渡って、フレキシブル基板２の表面を覆うことが、光照射効率を上げる上で重要である。
【００６１】
（ＬＥＤチップ５およびボンディングワイヤ６）
ＬＥＤチップ５は治療目的に応じて選択しなければならない。本実施形態では、４０５ｎｍのピーク（発光強度のピーク）波長を有するＬＥＤチップを選択した。波長変換部材１５を励起することができれば、４０５ｎｍに限る必要はない。
【００６２】
光治療のように一定の広さのある患部を均一に光照射するためには、ハイパワーの（サイズの大きな）ＬＥＤチップ５を少数個使うよりも、比較的小さなＬＥＤチップ５を多数配置する方がよい。本実施形態では、複数のＬＥＤチップ５として、４４０μｍ×５５０μｍサイズのＬＥＤチップを６４個、フレキシブル基板２へ搭載した。
【００６３】
ＬＥＤチップ５は、図２に示すようにＸ方向（第１方向）および該Ｘ方向と同じ面内で該Ｘ方向に直交するＹ方向（第２方向）に沿った８個×８個の２次元アレイ状に配置した（二次元配置）。図２に示すように、Ｘ方向に互いに隣接するＬＥＤチップ５間のピッチをＰｘとし、上記Ｘ方向に直交するＹ方向に互いに隣接するＬＥＤチップ５間のピッチをＰｙとすると、ＬＥＤチップ５は、ほぼ一定間隔（Ｐｘ、Ｐｙ）で２次元アレイ状に配置されている。
【００６４】
なお、ここで、Ｘ方向およびＹ方向は、ＬＥＤチップ５の配列方向であり、本実施形態では、ＬＥＤチップ５を、矩形状（例えば正方形状）のフレキシブル基板２の各辺に平行に配列した。また、上記Ｘ方向あるいはＹ方向に互いに隣接するＬＥＤチップ５間のピッチは、上記Ｘ方向あるいはＹ方向に互いに隣接するＬＥＤチップ５の中心間の距離を示す。
【００６５】
このように、光照射用基板１内に、ＬＥＤチップ５を、ほぼ一定間隔（Ｐｘ、Ｐｙ）で２次元アレイ状に配置することで、光照射用基板１内での光照射強度の均一性を向上させることができる。
【００６６】
なお、一般的には、Ｐｘ＝Ｐｙであるが、ＬＥＤチップ５の形状によって、上記Ｘ方向とＹ方向とで光出力分布が異なる場合がある。この場合は、上記Ｘ方向とＹ方向とでＬＥＤチップ５間のピッチ（Ｐｘ、Ｐｙ）を変更することが望ましい。例えば、細長い形状のＬＥＤチップ５では、その長辺に垂直な方向に光が出易く、その短辺に垂直な方向に出る光は少ない傾向がある。また、ＬＥＤチップ５の長辺が例えば上記Ｘ方向に平行な場合、Ｐｘ＜Ｐｙとすることが望ましい。最も単純化するためには、ほぼ正方形に近いＬＥＤチップ５を使用し、Ｐｘ＝Ｐｙとすることが望ましい。なお、上述した傾向はＬＥＤチップ５の電極の配置の影響を受ける場合が有る。このため、実際のＬＥＤチップ５の発光特性によって、最適化することが望ましい。
【００６７】
本実施形態では、上記ＬＥＤチップ５の平均ピッチは５ｍｍ〜１０ｍｍ程度とした。このサイズのＬＥＤチップ５としては、サファイア基板上に窒化物半導体層をエピタキシャル成長し、カソード電極とアノード電極とが同一面に形成された、最もありふれた構造のＬＥＤチップが、最も発光効率が良い。
【００６８】
本実施形態では、上述した、カソード電極とアノード電極とが同一面に形成されたＬＥＤチップ５を、配線４上に、透明なダイボンドペーストで接着し、ＬＥＤチップ５の図示しないカソード電極およびアノード電極を、図１〜３に示すように、ボンディングワイヤ６で、配線４と接続（結線）した。
【００６９】
ボンディングワイヤ６には金（金ボンディングワイヤ）を使用した。但し、ボンディングワイヤ６は、必ずしも金である必要はなく、銀やアルミニウム等からなる公知のボンディングワイヤを使用することができる。
【００７０】
なお、ＬＥＤチップ５がいわゆる上下電極構造である場合、すなわちカソード電極およびアノード電極が上下電極構造を有するＬＥＤチップ５を使用する場合には、ＬＥＤチップ５の下部電極となる、ＬＥＤチップ５の下面を、配線４上に銀ペースト等の導電材料で接着し、上部電極を、該ＬＥＤチップ５が搭載された配線４とは別の配線４とボンディングワイヤ６で接続することになる。
【００７１】
（ＬＥＤ保護樹脂７および波長変換部材１５）
ＬＥＤチップ５およびボンディングワイヤ６を保護するため、これらＬＥＤチップ５およびボンディングワイヤ６は、ＬＥＤ保護樹脂７で覆われている。ＬＥＤ保護樹脂７中には、波長変換部材１５がほぼ均一に混合されている。本実施形態では、予め、ＬＥＤ保護樹脂７と波長変換部材１５を攪拌、脱泡後、封止を行った。
【００７２】
波長変換部材１５としては、一般式ＢａＳｉ２（Ｏ，Ｃｌ）２Ｎ２：Ｅｕ、（Ｂａ，Ｓｒ）ＭｇＡｌ１０Ｏ１７：Ｅｕ,Ｍｎ、（Ｂａ，Ｓｒ）Ｓｉ２Ｏ４：Ｅｕ、Ｓｒ４Ａｌ１４Ｏ２５：Ｅｕ、ＳｒＡｌ２Ｏ４：Ｅｕ、（Ｓｒ，Ａｌ）６（Ｏ，Ｎ）８：Ｅｕ、（Ｌｕ，Ｙ，Ｇｄ）３（Ａｌ，Ｇａ）５Ｏ１２：Ｃｅ、（Ｃａ１．７Ｓｉ８．２）Ａｌ３．８Ｏ０．３Ｎ１５．７：Ｅｕ、Ｌａ３Ｓｉ６Ｎ１１：Ｃｅ、（Ｓｒ，Ｃａ）ＡｌＳｉＮ３：ＥｕおよびＫ２ＳｉＦ６：Ｍｎを使用すると、ＬＥＤチップ５の発する波長４０５ｎｍの光で効率よく励起することができる。ピーク波長を例えば４５０ｎｍのＬＥＤチップ５をさらに加えることも可能である。
【００７３】
ＢａＳｉ２（Ｏ，Ｃｌ）２Ｎ２：Ｅｕ蛍光体を使用した場合の発光スペクトルを図４に示す。
【００７４】
（Ｂａ，Ｓｒ）ＭｇＡｌ１０Ｏ１７：Ｅｕ,Ｍｎ蛍光体を使用した場合の発光スペクトルを図５に示す。
【００７５】
（Ｂａ，Ｓｒ）Ｓｉ２Ｏ４：Ｅｕ蛍光体を使用した場合の発光スペクトルを図６に示す。
【００７６】
ＳｒＡｌ２Ｏ４：Ｅｕ蛍光体を使用した場合の発光スペクトルを図７に示す。
【００７７】
（Ｓｒ，Ａｌ）６（Ｏ，Ｎ）８：Ｅｕ蛍光体を使用した場合の発光スペクトルを図８に示す。
【００７８】
（Ｓｒ，Ａｌ）６（Ｏ，Ｎ）８：Ｅｕ蛍光体を使用した場合の発光スペクトルを図９に示す。
【００７９】
（Ｌｕ，Ｙ，Ｇｄ）３（Ａｌ，Ｇａ）５Ｏ１２：Ｃｅ蛍光体を使用した場合の発光スペクトルを図１０に示す。
【００８０】
（Ｃａ１．７Ｓｉ８．２）Ａｌ３．８Ｏ０．３Ｎ１５．７：Ｅｕ蛍光体を使用した場合の発光スペクトルを図１１に示す。
【００８１】
（Ｓｒ，Ｃａ）ＡｌＳｉＮ３：Ｅｕ蛍光体を使用した場合の発光スペクトルを図１２に示す。
【００８２】
（Ｓｒ，Ｃａ）ＡｌＳｉＮ３：Ｅｕ蛍光体を使用した場合の発光スペクトルを図１３に示す。
【００８３】
（Ｓｒ，Ｃａ）ＡｌＳｉＮ３：Ｅｕ蛍光体を使用した場合の発光スペクトルを図１４に示す。
【００８４】
（Ｓｒ，Ｃａ）ＡｌＳｉＮ３：Ｅｕ蛍光体を使用した場合の発光スペクトルを図１５に示す。
【００８５】
（Ｌｕ，Ｙ，Ｇｄ）３（Ａｌ，Ｇａ）５Ｏ１２：Ｃｅ蛍光体を使用した場合の発光スペクトルを図１６に示す。
【００８６】
（Ｌｕ，Ｙ，Ｇｄ）３（Ａｌ，Ｇａ）５Ｏ１２：Ｃｅ蛍光体を使用した場合の発光スペクトルを図１７に示す。
【００８７】
Ｋ２ＳｉＦ６：Ｍｎ蛍光体を使用した場合の発光スペクトルを図１８に示す。
【００８８】
図４〜１８に示す通り、発光スペクトルには、第１波長域光と、第２波長域光が含まれている。
【００８９】
図１６〜１８に示す発光スペクトルでは、ピーク波長４５０ｎｍの光を持つ、ＬＥＤチップ５を加えており、ＬＥＤチップ５の発光は、ピーク波長４０５ｎｍと４５０ｎｍの両方に存在する。ピーク波長４５０ｎｍの光が主に蛍光体励起に寄与する。
【００９０】
これらの各蛍光体を用いた試作の特徴を図１９にまとめた。蛍光体は、治療光に求められる特性に応じたものを自由に選択し、発光スペクトルをカスタマイズすることが可能である。
【００９１】
なお、光照射用基板１の柔軟性をできるだけ確保するため、ＬＥＤ保護樹脂７は、可能な限り柔軟な樹脂を使った方がよい。硬い樹脂では、光照射用基板１を曲げた場合に、ボンディングワイヤ６が断線する場合があるためである。
【００９２】
（外部接続部１０および裏側配線８）
外部接続部１０は、光照射用基板１と、光照射用基板１に電流を供給する外部の電源とを接続するための配線部である。外部接続部１０は、外部から、配線４を介して、ＬＥＤチップ５に電力を供給するためのものである。
【００９３】
本実施形態では、図１および図３に示すように、外部接続部１０をフレキシブル基板２の裏面側に設けている。外部接続部１０は、裏側配線８とハンダ接続等により結線されている。裏側配線８は、接続穴１１を介して、表側の配線４の一部と繋がっている。このように、裏側配線８と配線４とが互いに電気的に接続されていることによって、外部接続部１０は、裏側配線８を介して配線４に電気的に接続されている。
【００９４】
外部接続部１０は、例えば、リード線、および該リード線をフレキシブル基板２に接続するためのコネクタ等を備えている。また、外部接続部１０は、電源との接続の利便性を高めるため、ソケット、プラグ等により終端し、簡単に電源と接続できるように構成されていることが好ましい。したがって、図３では、外部接続部１０としてリード線を記載している。但し、これはあくまで例示であって、実際にはリード線を接続するためのコネクタ等がフレキシブル基板２の裏面側に設置されていてもよい。
【００９５】
また、外部接続部１０は、図３に示すように、カソード外部接続部１０ａとアノード外部接続部１０ｂとを備えている。図３は、本実施形態に係る光照射用基板１の構成を示す裏面模式図である。上記裏側配線８は、それぞれ、外部接続部１０と裏側配線８との結線部を覆うように、絶縁性の樹脂からなる接続部シール９で被覆されていることが好ましい。このように、上記裏側配線８（結線部）をそれぞれ接続部シール９で被覆することで、互いに絶縁分離することができると共に、光照射用基板１の裏面の絶縁性を確保することができる。
【００９６】
光照射用基板１の表面側には、後述するように、患部との間の距離を一定に保ち、光照射用基板１と患部２０との位置関係を固定するスペーサ２１（図２０参照）が設けられる。このため、光照射用基板１の表面側には、光照射用基板１の配線に対する外部接続部１０を設け難いが、外部接続部１０を表面側に設けることも可能である。
【００９７】
（スペーサ２１）
図２０に示すように、実際の治療では、治療光１８の光照射に際し、光照射用基板１の表面（具体的には、ＬＥＤチップ５の表面）と例えばマウス１７等の皮膚１９の患部２０との間の距離を一定に保ち、光照射用基板１と患部２０との位置関係、特にＬＥＤチップ５と患部２０との位置関係を固定するために、スペーサ２１が必要となる。
【００９８】
スペーサ２１としては、一定の厚さを保つように加工したプラスチック製の袋に水または空気を詰めたもの、エポキシ系またはポリウレタン系の柔軟性のある透明な樹脂板、板状に加工した吸水性ポリマー等、種々の形態が使用できる。
【００９９】
スペーサ２１および光照射用基板１は、互いに一体化されていてもよく、それぞれ別部材として用いてもよい。
【０１００】
スペーサ２１は、例えば患部２０およびその周辺に白色ワセリンを薄く塗ることで、患部２０と密着させることができる。同様に、光照射用基板１とスペーサ２１との間に、例えば白色ワセリンを薄く塗ることで、光照射用基板１とスペーサ２１とを互いに密着させることができる。
【０１０１】
しかしながら、スペーサ２１を、予め光照射用基板１の表面側に例えば接着しておくことで、患部２０に光照射用基板１を貼りつける工程を容易にすることができる。
【０１０２】
スペーサ２１と光照射用基板１との接着には、例えば、公知の各種接着剤を用いることができる。
【０１０３】
すなわち、光照射用基板１は、スペーサ付光照射用基板であってもよく、ＬＥＤ保護樹脂７上に、例えば、図示しない接着層と、上記スペーサ２１と、をさらに備えていてもよい。言い換えれば、本実施形態に係るスペーサ付光照射用基板は、図１〜３に係る光照射用基板１と、スペーサ２１と、該光照射用基板１とスペーサ２１とを接着する接着層と、を備えていてもよい。
【０１０４】
スペーサ２１の材質として、ゴム硬度１０〜２０程度のものを用いるのが望ましい。これにより、腕、足、顔、臀部のように湾曲した表面に沿って無理なく曲げることが可能である。スペーサ２１は、治療において、光照射用基板１を押さえる際に、光照射用基板１にかかる応力を低減する役割も持つ。
【０１０５】
患部２０への光照射強度を均一化する上では、スペーサ２１の厚さと、ＬＥＤチップ５の中心間のピッチ（つまり、ピッチＰｘおよびピッチＰｙ）との関係が重要である。
【０１０６】
そこで、隣り合うＬＥＤチップ５間のピッチの平均値をＤとし、スペーサ２１の平均の厚さをＴ（厳密には、ＬＥＤチップ５の表面からスペーサ２１までの距離）とすると、Ｔ／Ｄは、好ましくはＴ／Ｄ≧０．５であり、より好ましくはＴ／Ｄ≧０．８である。一般的にＴ／Ｄが０．５よりも小さい場合には、ＬＥＤチップ５の直下部とＬＥＤチップ５間の中央部の直下部とにおける光照射強度の差が大きくなる傾向にあることから、Ｔ／Ｄは、０．５以上とすることが望ましい。
【０１０７】
なお、本実施形態では、例えば、エポキシ系の透明低粘度樹脂、日新レジン株式会社製ＣＥＰ−１０Ａを、厚さ約７ｍｍで４０ｍｍ角程度に成型した樹脂板をスペーサ２１として使用し、Ｔ／Ｄを、７ｍｍ／５ｍｍ＝１．４となるようにした。
【０１０８】
なお、光照射強度の均一性と言う観点からは、Ｔ／Ｄの値に特に上限はない。しかしながら、実際の治療時の取扱い易さは、スペーサ２１が薄い程取り扱い性が向上する。このため、取り扱い性の観点からは、Ｔ／Ｄが例えば２．０以下となるようにスペーサ２１の厚みを設定することが望ましい。
【０１０９】
以下の実施形態では、ＤとＴについての記載かつ、Ｔ／Ｄ＝１．４となるような構成についてのみ説明する。
【０１１０】
（効果）
本実施形態によれば、比較的小さな疾患部の治療に適した、平坦では無い患部に対しても、ほぼ均一で効率的な光照射を実現することができる光照射用基板１を提供することができる。
【０１１１】
本実施形態では、Ｕ１＝０．７５、Ｕ２＝０．８が得られた。
【０１１２】
光増感性物質として他の物質を使用することも同様の関係式により導くことが可能である。
【０１１３】
第１波長域の光と第２波長域の光を含むＬＥＤを実現するのに、一番単純な手段は、第１波長域の光を発するＬＥＤ素子と、第２波長域の光を発するＬＥＤ素子を組み合わせることである。本実施形態における光照射用基板１はこの方法に対し、下記の優位性を有する。
【０１１４】
（１）蛍光体の発光は、全方向に伝播するため、光照射用基板１の第１波長域の放射照度（ｍＷ／ｃｍ２）の面内均一性、第２波長域の放射照度の面内均一性の点で有利である。
【０１１５】
（２）蛍光体の濃度を変えることによって、自由に上記第１波長域の光照射強度と第２波長域の光照射強度の比を変えることが可能である。これは、量産における歩留、作業容易性の点でも有利である。上記のように単純に２種類のＬＥＤ素子を組み合わせる方法では、動作電流を制御する必要があり、困難である。
【０１１６】
図２０は、本実施形態に係る光照射用基板１の治療への適用例を示す模式図である。
【０１１７】
光照射用基板１を用いた治療では、ＬＥＤチップ５を患部２０と対向させて、外部接続部１０を外部の電源に接続し、光照射を行う。
【０１１８】
次いで、上記光照射用基板１に、外部接続部１０を介して外部電源より２００ｍＡの電流を８分間通電して、光照射強度を測定した。なお、時間と共に僅かに出力が減少するが、第１短波長域、第２長波長域それぞれにおいて、平均的に２１０ｍＷ／ｃｍ２の放射照度であったことから、目標の約１００Ｊ／ｃｍ２のドーズを達成するために、通電時間（光照射時間）を８分に決定した。
【０１１９】
上記「ＭＥＴＶＩＸＡ」局部投与と光照射を５回程度繰り返した後、癌細胞数の減少を確認できた。癌細胞が全体的に死滅していったことから、患部２０全面でほぼ均一に癌細胞を死滅させる効果があったと推測できる。したがって、光照射用基板１を用いることで、図２０に示すように患部２０の背中のように、湾曲面を有する、平坦では無い比較的小さな患部２０に対しても、ほぼ均一に光照射することが可能であることが証明された。
【０１２０】
また、スペーサ２１よりも外側にフレキシブル基板２の端部がはみ出した場合のエネルギーの無駄や、正常部位への光照射の防止の観点からは、スペーサ２１は光照射用基板１と同じかもしくは光照射用基板１よりも大きく形成されていることが望ましい。但し、スペーサ２１が光照射用基板１よりも小さい場合であっても、大きなランプで患部に光を一斉照射する現在の光治療器に比べれば、遥かにロスは少ない。
【０１２１】
光照射用基板１によれば、光照射による副作用を最小限に抑制しつつ、効率的で均一な光照射を実現することができるので、患者や家族の負担を抑えた光治療効果を実現することができる。光照射用基板１によれば、患部の大きさに応じて、切り取ることが可能な光治療器を提供することができる。
【０１２２】
なお、以下の実施例では、上記光治療器としての説明は省くことにする。
【０１２３】
〔実施形態２〕
本発明の他の実施形態について、図２２〜図２４に基づいて説明すれば、以下の通りである。なお、本実施形態では、実施形態１との相違点について説明するものとし、実施形態１で説明した構成要素と同じ機能を有する構成要素については、同じ符号を付記し、その説明を省略する。
【０１２４】
図２２は、本実施形態に係る光照射用基板（光照射装置）１の構成を示す断面模式図である。図２３は、本実施形態に係る光照射用基板１の構成を示す表面模式図である。図２４は、本実施形態に係る光照射用基板１の構成を示す裏面模式図である。
【０１２５】
なお、図２２は、図２３に示す光照射用基板１のＢ−Ｂ´線の断面図に相当する。
【０１２６】
（光照射用基板１の概略構成）
図２２〜２４に示すように、光照射用基板１は、フレキシブル基板２、絶縁分離溝３で互いに絶縁分離された複数の配線４、複数のＬＥＤチップ（ＬＥＤ素子）５、複数のボンディングワイヤ６、ＬＥＤ保護樹脂７、ＬＥＤ保護樹脂ドーム１６、外部接続部１０、裏側配線８、接続穴１１、接続部シール９、および波長変換部材１５を備えている。
【０１２７】
実施形態１との違いは、図２２および２３のように、波長変換部材１５を混合させたＬＥＤ保護樹脂ドーム１６を形成している点である。
【０１２８】
ＬＥＤ保護樹脂ドーム１６は、例えばディスペンサを用いたポッティングで形成することもできるが、形状の再現性を確保するためには、金型を使用して樹脂モールドした方がよい。
【０１２９】
ＬＥＤ保護樹脂ドーム１６により埋められていない部分に、ＬＥＤ保護樹脂７を形成することにより、実施形態１と比べて、波長変換部材１５の使用量を削減することが可能であり、コストを下げることができる。
【０１３０】
（発光スペクトル）
本実施形態では、波長４０５ｎｍのＬＥＤチップ５に対して、波長変換部材１５として実施形態１の図５と同じく、（Ｂａ，Ｓｒ）ＭｇＡｌ１０Ｏ１７：Ｅｕ,Ｍｎ蛍光体を使用した。図５と同様のスペクトルが得られた。
【０１３１】
（スペーサ２１）
本実施形態では、スペーサ２１の厚さＴは、実施形態１と同じとした。
【０１３２】
（効果）
本実施形態において、実施形態１とほぼ同じ、Ｕ１＝０．７４、Ｕ２＝０．７８が得られた。
【０１３３】
〔実施形態３〕
本発明の他の実施形態について、図２５〜図２７に基づいて説明すれば、以下の通りである。実施形態１で説明した構成要素と同じ機能を有する構成要素については、同じ符号を付記し、その説明を省略する。
【０１３４】
図２５は、本実施形態に係る光照射用基板（光照射装置）１の構成を示す断面模式図である。図２６は、本実施形態に係る光照射用基板１の構成を示す表面模式図である。図２７は、本実施形態に係る光照射用基板１の構成を示す裏面模式図である。
【０１３５】
なお、図２５は、図２６に示す光照射用基板１のＣ−Ｃ´線の断面図に相当する。
【０１３６】
図２５〜２７に示すように、光照射用基板１は、フレキシブル基板２、絶縁分離溝３で互いに絶縁分離された複数の配線（配線パターン、第１面配線）４、複数の第１ＬＥＤチップ（ＬＥＤ素子）５ａ、複数の第２ＬＥＤチップ（ＬＥＤ素子）５ｂ、複数のボンディングワイヤ６、ＬＥＤ保護樹脂７、複数の裏側配線８、接続部シール９、および外部接続部１０、を備えている。全ての第１ＬＥＤチップ５ａ、および第２ＬＥＤチップ５ｂの集合が、本発明に係るＬＥＤ光源群に対応する。
【０１３７】
フレキシブル基板２の一方の主面（表面、第１面）には、配線４が形成されている。配線４上には、光源となる第１ＬＥＤチップ５ａ、および第２ＬＥＤチップ５ｂが搭載されている。各配線４間は、絶縁分離溝３で絶縁分離されており、１つの配線４に、１つの第１ＬＥＤチップ５ａ、もしくは第２ＬＥＤチップ５ｂが搭載されている。第１ＬＥＤチップ５は、該ＬＥＤチップ５が搭載された配線４および該配線４とＹ方向に絶縁分離溝３を介して隣り合う配線４に対し、それぞれボンディングワイヤ６で接続されており、第２ＬＥＤチップ５も同様である。
【０１３８】
図２６に示す光照射用基板において、一番左の列には、第１ＬＥＤチップ５ａが、その右の列には、第２ＬＥＤチップ５ｂが、その右の列には、第１ＬＥＤチップ５ａが同じように配列されている。
【０１３９】
第１ＬＥＤチップ５ａ、第２ＬＥＤチップ５ｂおよびボンディングワイヤ６は、保護膜としてのＬＥＤ保護樹脂７で覆われている。
【０１４０】
一方、フレキシブル基板２の他方の主面（裏面、第２面）には、裏側配線８が形成されている。
【０１４１】
フレキシブル基板２には、該フレキシブル基板を貫通する接続穴１１が形成されている。配線４と第１ＬＥＤチップ用裏側配線８ａ、配線４と第２ＬＥＤチップ用裏側配線８ｂとは、接続穴１１を介して接続されている。また、配線４は、第１ＬＥＤチップ用裏側配線８ａを介して第１ＬＥＤチップ用カソード外部接続部１０ｃ、および第１ＬＥＤチップ用アノード外部接続部１０ｄと電気的に接続されている。配線４は、第２ＬＥＤチップ用裏側配線８ｂを介して第２ＬＥＤチップ用カソード外部接続部１０ｅ、および第２ＬＥＤチップ用アノード外部接続部１０ｆと電気的に接続されている。外部接続部１０と裏側配線８との結線部は、接続部シール９で絶縁分離されている。
【０１４２】
次に、光照射用基板１における各構成要素について、より詳細に説明する。
【０１４３】
（第１ＬＥＤチップ５ａ、第２ＬＥＤチップ５ｂおよびボンディングワイヤ６）
本実施形態では、第１ＬＥＤチップ５ａとして、４０５ｎｍのピーク波長を有するＬＥＤチップを選択し、第２ＬＥＤチップ５ｂとして、５０５ｎｍのピーク波長を有するＬＥＤチップを選択した。
【０１４４】
光治療のように一定の広さのある患部を均一に光照射するためには、ハイパワーの（サイズの大きな）第１ＬＥＤチップ５ａ、および第２ＬＥＤチップ５ｂを少数個使うよりも、比較的小さな第１ＬＥＤチップ５ａ、および第２ＬＥＤチップ５ｂを多数配置する方がよい。本実施形態では、第１ＬＥＤチップ５ａは、実施形態１と同じく、４４０μｍ×５５０μｍサイズのＬＥＤチップを３２個、フレキシブル基板２へ搭載した。第２ＬＥＤチップ５ｂは、４４０μｍ×５５０μｍサイズのＬＥＤチップを３２個、フレキシブル基板２へ搭載した。
【０１４５】
第１ＬＥＤチップ５ａ、および第２ＬＥＤチップ５ｂは、図２６に示すようにＸ方向（第１方向）および該Ｘ方向と同じ面内で該Ｘ方向に直交するＹ方向（第２方向）に沿った８個×８個の２次元アレイ状に配置した（二次元配置）。図２６に示すように、Ｘ方向に互いに隣接する第１ＬＥＤチップ５ａもしくは第２ＬＥＤチップ５ｂ間のピッチをＰｘとし、上記Ｘ方向に直交するＹ方向に互いに隣接する第１ＬＥＤチップ５ａもしくは第２ＬＥＤチップ５ｂ間のピッチをＰｙとすると、第１ＬＥＤチップ５ａ、および第２ＬＥＤチップ５ｂは、ほぼ一定間隔（Ｐｘ、Ｐｙ）で２次元アレイ状に配置されている。
【０１４６】
本実施形態では、上記ＬＥＤチップ５の平均ピッチは５ｍｍ〜１０ｍｍ程度とした。このサイズのＬＥＤチップ５としては、サファイア基板上に窒化物半導体層をエピ成長し、カソード電極とアノード電極とが同一面に形成された、最もありふれた構造のＬＥＤチップが、最も発光効率が良い。
【０１４７】
（外部接続部１０および裏側配線８）
一般に、第１ＬＥＤチップ５ａと第２ＬＥＤチップ５ｂの動作電圧は同じとは限らない。図２７に示す通り、第１ＬＥＤチップ５ａを８個駆動するための電圧と、第２ＬＥＤチップ５ｂを８個駆動するための電圧が異なる場合、第１ＬＥＤチップ用裏側配線８ａ、第２ＬＥＤチップ用裏側配線８ｂとが必要となる。
【０１４８】
外部接続部１０は、図２７に示すように、第１ＬＥＤチップ用カソード外部接続部１０ｃと第１ＬＥＤチップ用アノード外部接続部１０ｄと第２ＬＥＤチップ用カソード外部接続部１０ｅと第２ＬＥＤチップ用アノード外部接続部１０ｆとを備えている。図２７は、本実施形態に係る光照射用基板１の構成を示す裏面模式図である。上記裏側配線８は、それぞれ、外部接続部１０と裏側配線８との結線部を覆うように、絶縁性の樹脂からなる接続部シール９で被覆されていることが好ましい。このように、上記裏側配線８（結線部）をそれぞれ接続部シール９で被覆することで、互いに絶縁分離することができると共に、光照射用基板１の裏面の絶縁性を確保することができる。
【０１４９】
（発光スペクトル）
図２８に示すように、波長４０５ｎｍに、第１ＬＥＤチップ５ａの発光が、波長５０５ｎｍに、第２ＬＥＤチップ５ｂの発光が見られた。意図した通り、第１波長域光と第２波長域光を併せ持つ、フレキシブルＬＥＤが実現できた。
【０１５０】
（スペーサ２１）
本実施形態では、ＬＥＤチップ間の平均ピッチＤとは、第１ＬＥＤチップ５ａと第２ＬＥＤチップ５ｂの繰り返し周期であり、実施形態１の２倍となる。よって、スペーサ２１の厚さＴは、実施形態１の２倍とした。
【０１５１】
（効果）
本実施形態において、Ｕ１＝０．７１、Ｕ２＝０．７２が得られた。
【０１５２】
〔実施形態４〕
本発明の他の実施形態について、図２９〜図３１に基づいて説明すれば、以下の通りである。本実施形態では、主に実施形態３との差異について説明し、実施形態３で説明した構成要素と同じ機能を有する構成要素については、同じ符号を付記し、その説明を省略する。
【０１５３】
図２９は、本実施形態に係る光照射用基板（光照射装置）１の構成を示す断面模式図である。図３０は、本実施形態に係る光照射用基板１の構成を示す表面模式図である。図３１は、本実施形態に係る光照射用基板１の構成を示す裏面模式図である。
【０１５４】
なお、図２９は、図３０に示す光照射用基板１のＤ−Ｄ´線の断面図に相当する。
【０１５５】
フレキシブル基板２の一方の主面（表面、第１面）には、配線４が形成されている。配線４上には、光源となる第１ＬＥＤチップ５ａ、および第２ＬＥＤチップ５ｂが搭載されている。各配線４間は、絶縁分離溝３で絶縁分離されており、１つの配線４に、１つの第１ＬＥＤチップ５ａ、もしくは第２ＬＥＤチップ５ｂが搭載されている。第１ＬＥＤチップ５ａは、該第１ＬＥＤチップ５ａが搭載された配線４および該配線４とＹ方向に絶縁分離溝３を介して隣り合う配線４に対し、それぞれボンディングワイヤ６で接続されている。第２ＬＥＤチップ５ｂは、該第２ＬＥＤチップ５ｂが搭載された配線４および該配線４とＹ方向に絶縁分離溝３を介して隣り合う配線４に対し、それぞれボンディングワイヤ６で接続されている。
【０１５６】
（第１ＬＥＤチップ５ａおよび第２ＬＥＤチップ５ｂ）
図２９および図３０に示す通り、本実施形態に係る光照射用基板１においては、第１ＬＥＤチップ５ａと第２ＬＥＤチップ５ｂとを交互に、Ｙ方向（第２方向）に４個１列に配置し、右の列は順番を逆に、Ｙ方向に４個１列に配置し、右の列は順番を逆に、Ｙ方向に４個１列に配置し、右の列は順番を逆に、Ｙ方向に４個１列に配置している（二次元配置）。すなわち、第１ＬＥＤチップ５ａの隣接チップは第２ＬＥＤチップ５ｂであり、第２ＬＥＤチップ５ｂの隣接チップは第１ＬＥＤチップ５ａである。
【０１５７】
一方、フレキシブル基板２の他方の主面（裏面、第２面）には、裏側配線８が形成されている。
【０１５８】
フレキシブル基板２には、該フレキシブル基板を貫通する接続穴１１が形成されている。配線４と裏側配線８とは、接続穴１１を介して接続されている。また、配線４は、裏側配線８を介して外部接続部１０と電気的に接続されている。外部接続部１０と裏側配線８との結線部は、接続部シール９で絶縁分離されている。
【０１５９】
次に、光照射用基板１における各構成要素について、より詳細に説明する。
【０１６０】
本実施形態では、図３０に示すように第１ＬＥＤチップ５ａは、実施形態１と同じく、４４０μｍ×５５０μｍサイズのＬＥＤチップを３２個、フレキシブル基板２へ搭載した。第２ＬＥＤチップ５ｂは、４４０μｍ×５５０μｍサイズのＬＥＤチップを３２個、フレキシブル基板２へ搭載した。
【０１６１】
第１ＬＥＤチップ５ａ、および第２ＬＥＤチップ５ｂは、図３０に示すようにＸ方向（第１方向）および該Ｘ方向と同じ面内で該Ｘ方向に直交するＹ方向（第２方向）に沿った８個×８個の２次元アレイ状に配置した（二次元配置）。図３０に示すように、Ｘ方向に互いに隣接する第１ＬＥＤチップ５ａと第２ＬＥＤチップ５ｂ間のピッチをＰｘとし、上記Ｘ方向に直交するＹ方向に互いに隣接する第１ＬＥＤチップ５ａと第２ＬＥＤチップ５ｂ間のピッチをＰｙとすると、第１ＬＥＤチップ５ａ、および第２ＬＥＤチップ５ｂは、ほぼ一定間隔（Ｐｘ、Ｐｙ）で２次元アレイ状に配置されている。
【０１６２】
（外部接続部１０および裏側配線８）
実施形態３と異なり、各列に４個の第１ＬＥＤチップ５ａと４個の第２ＬＥＤチップ５ｂを直列接続しているため、各列の動作電圧はほぼ同じとなる。図３１に示す通り、実施形態３と異なり、裏側配線は実施形態１と同じように１系統である。
【０１６３】
（発光スペクトル）
図２８に示すように、実施形態３と同様に、波長４０５ｎｍに、第１ＬＥＤチップ５ａの発光が、波長５０５ｎｍに、第２ＬＥＤチップ５ｂの発光が見られた。意図した通り、第１波長域光と第２波長域光を併せ持つ、ＬＥＤが実現できた。
【０１６４】
（スペーサ２１）
本実施形態では、ＬＥＤチップ間の平均ピッチＤとは、第１ＬＥＤチップ５ａと第２ＬＥＤチップ５ｂの繰り返し周期であり、実施形態３の√２／２倍となる。それに伴い、スペーサ２１の厚さＴは、実施形態１の√２／２倍に薄くした。
【０１６５】
（効果）
本実施形態において、Ｕ１＝０．７４、Ｕ２＝０．７５が得られた。
【０１６６】
〔実施形態５〕
本発明の他の実施形態について、図３２に基づいて説明すれば、以下の通りである。本実施形態では、主に実施形態４との差異について説明し、実施形態４で説明した構成要素と同じ機能を有する構成要素については、同じ符号を付記し、その説明を省略する。
【０１６７】
図３２は、本実施形態に係る光照射用基板（光照射装置）１の構成を示す表面模式図である。
【０１６８】
フレキシブル基板２の一方の主面（表面、第１面）には、配線４が形成されている。配線４上には、光源となる第１ＬＥＤチップ５ａと第２ＬＥＤチップ５ｂが搭載されている。各配線４間は、絶縁分離溝３で絶縁分離されており、１つの配線４に、１個の第１ＬＥＤチップ５ａと１個の第２ＬＥＤチップ５ｂが搭載されている。第１ＬＥＤチップ５ａは、第２ＬＥＤチップ５ｂおよび該第１ＬＥＤチップ５ａが搭載された配線４とＹ方向に絶縁分離溝３を介して隣り合う配線４に対し、それぞれボンディングワイヤ６で接続されている。第２ＬＥＤチップ５ｂは、第２ＬＥＤチップ５ｂが搭載された配線４および第１ＬＥＤチップ５ａに対し、それぞれボンディングワイヤ６で接続されている。
【０１６９】
（第１ＬＥＤチップ５ａおよび第２ＬＥＤチップ５ｂ）
図３２に示す通り、本実施形態に係る光照射用基板１においては、１個の第１ＬＥＤチップ５ａと１個の第２ＬＥＤチップ５ｂを一つのユニットとして、Ｘ方向、Ｙ方向（第２方向）に８×８列に配置している（二次元配置）。
【０１７０】
次に、光照射用基板１における各構成要素について、より詳細に説明する。
【０１７１】
図３２に示すように、Ｘ方向の第１ＬＥＤチップ５ａ間のピッチをＰｘとし、上記Ｘ方向に直交するＹ方向の第１ＬＥＤチップ５ａ間のピッチをＰｙとすると、１個の第１ＬＥＤチップ５ａと１個の第２ＬＥＤチップ５ｂは、それらを一つのユニットとして、ほぼ一定間隔（Ｐｘ、Ｐｙ）で２次元アレイ状に配置されている。
【０１７２】
（発光スペクトル）
図２８に示すように、実施形態４と同様に、波長４０５ｎｍに、第１ＬＥＤチップ５ａの発光が、波長５０５ｎｍに、第２ＬＥＤチップ５ｂが見られた。意図した通り、第１波長域光と第２波長域光を併せ持つ、ＬＥＤが実現できた。
【０１７３】
（スペーサ２１）
本実施形態では、ＬＥＤチップ間の平均ピッチＤとは、第１ＬＥＤチップ５ａと第２ＬＥＤチップ５ｂの繰り返し周期であり、実施形態４の２／√２倍となる。それに伴い、スペーサ２１の厚さＴは、実施形態４と比較して実施形態１と同じにした。
【０１７４】
（効果）
本実施形態において、Ｕ１＝０．７５、Ｕ２＝０．７４が得られた。
【０１７５】
〔実施形態６〕
本発明の他の実施形態について、図３３に基づいて説明すれば、以下の通りである。本実施形態では、主に実施形態５との差異について説明し、実施形態５で説明した構成要素と同じ機能を有する構成要素については、同じ符号を付記し、その説明を省略する。
【０１７６】
図３３は、本実施形態に係る光照射用基板（光照射装置）１の構成を示す表面模式図である。
【０１７７】
一般的に、第２ＬＥＤチップ５ｂのピーク波長が４７０ｎｍ以上の場合、第１ＬＥＤチップ５ａと比較して、同一動作電圧下の第２ＬＥＤチップ５ｂの光強度は弱い。その場合、第２ＬＥＤチップ５ｂを例えば２個搭載することが必要となる。しかし、第２ＬＥＤチップ５ｂは、第１ＬＥＤチップ５ａの発する光を吸収してしまうため、第１ＬＥＤチップ５ａと第２ＬＥＤチップ５ｂはなるべく距離を開けて配置することが望まれる。また、第１波長域の光と第２波長域の光をほぼ均一に照射するためには、１個の第１ＬＥＤチップ５ａと２個の第２ＬＥＤチップ５ｂを一つのユニットとして、配置することが必要となる。具体的には、２個の第２ＬＥＤチップ５ｂの重心を１個の第１ＬＥＤチップ５ａの位置に一致させることが重要である。
【０１７８】
フレキシブル基板２の一方の主面（表面、第１面）には、配線４が形成されている。配線４上には、光源となる第１ＬＥＤチップ５ａと第２ＬＥＤチップ５ｂが搭載されている。各配線４間は、絶縁分離溝３で絶縁分離されており、１つの配線４に、１個の第１ＬＥＤチップ５ａと２個の第２ＬＥＤチップ５ｂが搭載されている。配線４、第２ＬＥＤチップ５ｂ、第１ＬＥＤチップ５ａ、第２ＬＥＤチップ５ｂ、Ｙ方向に絶縁分離溝３を介して隣り合う配線４に対し、それぞれボンディングワイヤ６で接続されている。
【０１７９】
（第１ＬＥＤチップ５ａおよび第２ＬＥＤチップ５ｂ）
図３３に示すように、本実施形態に係る光照射用基板１においては、１個の第１ＬＥＤチップ５ａと２個の第２ＬＥＤチップ５ｂを一つのユニットとして、Ｘ方向、Ｙ方向（第２方向）に８×８列に配置している（二次元配置）。
【０１８０】
次に、光照射用基板１における各構成要素について、より詳細に説明する。
【０１８１】
図３３に示すように、Ｘ方向の第１ＬＥＤチップ５ａ間のピッチをＰｘとし、上記Ｘ方向に直交するＹ方向の第１ＬＥＤチップ５ａ間のピッチをＰｙとすると、１個の第１ＬＥＤチップ５ａと２個の第２ＬＥＤチップ５ｂは、それらを一つのユニットとして、ほぼ一定間隔（Ｐｘ、Ｐｙ）で２次元アレイ状に配置されている。
【０１８２】
（発光スペクトル）
図３４に示すように、実施形態５と同様に、波長４０５ｎｍに、第１ＬＥＤチップ５ａの発光が、波長５０５ｎｍに、第２ＬＥＤチップ５ｂの発光が見られた。それと共に、意図した通り、第２波長域光のピーク強度が増大した。第２ＬＥＤチップ５ｂを２個配置した効果が確認できた。第１波長域光と第２波長域光を併せ持つ、ＬＥＤが実現できた。
【０１８３】
（スペーサ２１）
本実施形態では、ＬＥＤチップ間の平均ピッチＤとは、１個の第１ＬＥＤチップ５ａと２個の第２ＬＥＤチップ５ｂの繰り返し周期であり、実施形態５と同じとなる。それに伴い、スペーサ２１の厚さＴは、実施形態５と同じにした。
【０１８４】
（効果）
本実施形態において、Ｕ１＝０．７４、Ｕ２＝０．７３が得られた。
【０１８５】
本実施形態において、２個の第２ＬＥＤチップ５ｂを搭載する場合を例に挙げたが、２個よりも多く配置することも可能である。その場合、同様の技術思想に基づき、空間的配置を考案することが可能である。
【０１８６】
光照射用基板１によれば、光照射による副作用を最小限に抑制しつつ、効率的で均一な光照射を実現することができるので、患者や家族の負担を抑えた光治療効果を実現することができる。光照射用基板１によれば、患部の大きさに応じて、切り取ることが可能な光治療器を提供することができる。
【０１８７】
〔実施形態７〕
本発明の他の実施形態について、図３５に基づいて説明すれば、以下の通りである。本実施形態では、主に実施形態６との差異について説明し、実施形態６で説明した構成要素と同じ機能を有する構成要素については、同じ符号を付記し、その説明を省略する。
【０１８８】
図３５は、本実施形態に係る光照射用基板（光照射装置）１の構成を示す表面模式図である。
【０１８９】
一般に、図３５に示すように第１ＬＥＤチップ５ａおよび第２ＬＥＤチップ５ｂの上面視が矩形である場合、第１ＬＥＤチップ５ａおよび第２ＬＥＤチップ５ｂにおいて、チップの４つの辺から光が出射される。第２ＬＥＤチップ５ｂは、第１ＬＥＤチップ５ａの発する光を吸収してしまう。本現象を改善するために、１個の第１ＬＥＤチップ５ａ、２個の第２ＬＥＤチップ５ｂをＸ方向だけでなく、Ｙ方向にずらしている。換言すれば、配線４単位において、２つの第２ＬＥＤチップ５ｂにおける上記矩形の各辺と第１ＬＥＤチップ５ａにおける上記矩形の各辺とが対向しないように配置されている。それにより、上記吸収をさらに下げることが可能となる。実施形態６と同じく、第１波長域の光と第２波長域の光をほぼ均一に照射するためには、１個の第１ＬＥＤチップ５ａと２個の第２ＬＥＤチップ５ｂを一つのユニットとして、配置することが必要となる。具体的には、２個の第２ＬＥＤチップ５ｂの重心を１個の第１ＬＥＤチップ５ａの位置に一致させる。
【０１９０】
図３５に示す通り、本実施形態に係る光照射用基板１においては、１個の第１ＬＥＤチップ５ａと２個の第２ＬＥＤチップ５ｂを一つのユニットとして、Ｘ方向、Ｙ方向（第２方向）に８×８列に配置している（二次元配置）。
【０１９１】
次に、光照射用基板１における各構成要素について、より詳細に説明する。
【０１９２】
図３５に示すように、Ｘ方向の第１ＬＥＤチップ５ａ間のピッチをＰｘとし、上記Ｘ方向に直交するＹ方向の第１ＬＥＤチップ５ａ間のピッチをＰｙとすると、１個の第１ＬＥＤチップ５ａと２個の第２ＬＥＤチップ５ｂは、それらを一つのユニットとして、ほぼ一定間隔（Ｐｘ、Ｐｙ）で２次元アレイ状に配置されている。
【０１９３】
（発光スペクトル）
図３６に示すように、実施形態６と同様に、波長４０５ｎｍに、第１ＬＥＤチップ５ａの発光が、波長５０５ｎｍに、第２ＬＥＤチップ５ｂの発光が見られた。それと共に、意図した通り、第１波長域光のピーク強度が増大した。第２ＬＥＤチップ５ｂによる第１ＬＥＤチップ５ａの発する光の吸収の減少による効果が確認できた。第１波長域光と第２波長域光を併せ持つ、ＬＥＤが実現できた。
【０１９４】
（スペーサ２１）
本実施形態では、ＬＥＤチップ間の平均ピッチＤとは、１個の第１ＬＥＤチップ５ａと２個の第２ＬＥＤチップ５ｂの繰り返し周期であり、実施形態７と同じとなる。それに伴い、スペーサ２１の厚さＴは、実施形態７と同じにした。
【０１９５】
（効果）
本実施形態において、Ｕ１＝０．８、Ｕ２＝０．７３が得られた。
【０１９６】
〔実施形態８〕
実施形態８について、図３７〜図３８に基づいて説明すれば、以下の通りである。なお、今までの実施形態で説明した構成要素と同じ機能を有する構成要素については、同じ符号を付記し、その説明を省略する。
【０１９７】
光照射用基板１の構成、スペーサ２１の厚さは、実施形態１と同じである。
【０１９８】
図２１は、本実施形態に係る光照射用基板１の光治療器としての適用例を示す断面模式図である。
【０１９９】
ところで、患部２０の大きさは様々である。既に作製された光照射用基板１よりも患部２０の大きさが明らかに小さく、光を患部２０以外に当てたくない場合、図３７および図３８に示すように、カット可能ライン２２で、光照射用基板１を切り取ることが可能である。これは、光照射用基板１が、はさみで簡単に切れるため、換言すれば、フレキシブル基板２、配線４、裏側配線８、ＬＥＤ保護樹脂７、スペーサ２１等からなるために初めて可能となる。既に作製された光照射用基板１よりも患部２０の大きさが明らかに大きい場合は、同様の技術思想に基づき、光照射用基板１を切り取り、切り取っていない光照射用基板１を組み合わせれば、可能となる。
【０２００】
図３８に示す通り、予め、外部接続部１０を取り付けた光照射用基板１であれば、適切な裏側配線８に外部接続部１０を取り付ける必要がある。または、予め、外部接続部１０を複数取り付けておくのも格段の効果を有する。
【０２０１】
以上のことから、本実施形態に係る光照射用基板１は、比較的小さな疾患部の治療に適していると共に、ランプ型の照射装置のように患者に無理な姿勢を強いることがなく、また、平坦では無い患部に対しても、ほぼ均一で効率的な光照射を実現することができる。光照射用基板１を備えた光治療器についても同様である。
【０２０２】
（効果）
本実施形態において、実施形態７と同じく、Ｕ１＝０．８、Ｕ２＝０．７３が得られた。
【０２０３】
〔実施形態９〕
本発明の他の実施形態について、図２〜３、および図３９〜図４２に基づいて説明すれば、以下の通りである。本実施形態では、主に実施形態１との差異について説明し、実施形態１で説明した構成要素と同じ機能を有する構成要素については、同じ符号を付記し、その説明を省略する。
【０２０４】
図３９は、本実施形態に係る光照射用基板１の構成を示す断面模式図である。図２は、本実施形態に係る光照射用基板１の構成を示す表面模式図である。図３は、本実施形態に係る光照射用基板１の構成を示す裏面模式図である。なお、図３９は、図２に示す光照射用基板１のＡ−Ａ´線の断面図に相当する。
【０２０５】
（光照射用基板１の概略構成）
図２〜３、および図３９に示すように、光照射用基板１は、フレキシブル基板２、絶縁分離溝３で互いに絶縁分離された複数の配線４、複数のＬＥＤチップ（ＬＥＤ素子）５、複数のボンディングワイヤ６、ＬＥＤ保護樹脂７、外部接続部１０、裏側配線８、接続穴１１および接続部シール９を備えている。
【０２０６】
実施形態１との違いは、図３９に示すように、波長変換部材１５を備えていない点である。
【０２０７】
本実施形態に係る光照射用基板１の発光スペクトルの一例を図４０に示す。ここでは、ＬＥＤチップ５として、第１ＬＥＤチップ５ａのみを載せた場合を示す。図４０に示すように、出射光には、第１波長域光のみが含まれていることがわかる。
【０２０８】
図４１は、本実施形態に係る光照射用基板１の治療への適用例を示す模式図である。
【０２０９】
実施形態１の図２０との違いは、図４１に示すように、波長変換部材１５を含有していないスペーサ２１の替わりに、波長変換部材１５を含有した波長変換部材含有スペーサ２３を備えている点である。このように、波長変換部材含有スペーサ２３は、波長変換部材１５を含んでいる。
【０２１０】
（波長変換部材含有スペーサ２３）
波長変換部材含有スペーサ２３は、実施形態１に示した、スペーサ２１に波長変換部材１５を混合して作製する。本実施形態では、例えば、シリコーン系透明樹脂と（Ｂａ，Ｓｒ）Ｓｉ２Ｏ４：Ｅｕ蛍光体とを予め混合、撹拌し、硬化、成型したものを用いた。なお、厚さは実施形態１と同じとした。ここでは、波長変換部材含有スペーサ２３の材料としてシリコーン系透明樹脂を用いた。但し、必ずしもこれに限らず、スペーサ２１として、一定の厚さを保つように加工したプラスチック製の袋に水もしくは空気を詰めたもの、エポキシ系もしくはポリウレタン系の柔軟性のある透明な樹脂板、または板状に加工した吸水性ポリマー等、種々の形態を使用することができる。
【０２１１】
なお、波長変換部材含有スペーサ２３に含有される波長変換部材１５としては、実施形態１に示した蛍光体を使うことが当然可能である。その場合、実施形態１に示したように、光照射用基板１に搭載するＬＥＤチップ５の種類を変えて、出射光の波長を変更することも可能である。
【０２１２】
（発光スペクトル）
図４２は、本実施形態に係る光照射用基板１に波長変換部材含有スペーサ２３を取り付けたときの発光スペクトルの一例を示すものである。
【０２１３】
図４２に示すように、出射光には、ＬＥＤチップ５が発する第１波長域光と、第１波長域光により励起された、波長変換部材含有スペーサ２３内の、（Ｂａ，Ｓｒ）Ｓｉ２Ｏ４：Ｅｕ蛍光体が発する第２波長域光とが含まれていることがわかる。
【０２１４】
なお、波長変換部材含有スペーサ２３において、（Ｂａ，Ｓｒ）Ｓｉ２Ｏ４：Ｅｕ蛍光体のシリコーン系透明樹脂に対する重量比を変えることによって、第１波長域光と第２波長域光との比率を自由に変えることが可能である。
【０２１５】
また、混合する、（Ｂａ，Ｓｒ）Ｓｉ２Ｏ４：Ｅｕ蛍光体のシリコーン系透明樹脂に対する重量比を変えた波長変換部材含有スペーサ２３を予め用意することが可能である。その結果、所望の波長変換部材含有スペーサ２３を組み合わせることにより、第１波長域光と第２波長域光との比率を自由に変えることも可能である。
【０２１６】
例えば、第１ＬＥＤチップのみを実装した光照射用基板１を準備しておく。これにより、（Ｂａ，Ｓｒ）Ｓｉ２Ｏ４：Ｅｕ蛍光体のシリコーン系透明樹脂に対する重量比を変えた、波長変換部材含有スペーサ２３を用意することにより、同じく第１波長域光と第２波長域光との比率を自由に変えることができ、色々な波長の光を発するようにすることができる。
【０２１７】
言い換えれば、波長変換部材含有スペーサ２３を別の製品として個別に譲渡することができる。また、大量生産における歩留、作業容易性の点でも有利である。
【０２１８】
また、光線力学治療現場において、患者の皮膚疾患に応じた、第２波長域光のスペクトルを適宜選択し、カスタマイズされた治療をすることも可能となる。
【０２１９】
（効果）
本実施形態において、Ｕ１＝０．８５、Ｕ２＝０．８２が得られた。
【０２２０】
〔実施形態１０〕
本発明の他の実施形態について、図４３に基づいて説明すれば、以下の通りである。本実施形態では、主に実施形態９との差異について説明し、実施形態９で説明した構成要素と同じ機能を有する構成要素については、同じ符号を付記し、その説明を省略する。
【０２２１】
本実施形態に係る光照射用基板１の構成は、実施形態９と同様である。
【０２２２】
図４３は、本実施形態に係る光照射用基板１の治療への適用例を示す断面模式図である。
【０２２３】
実施形態９との違いは、図４３に示すように、波長変換部材１５を含有していないスペーサ２１と、波長変換部材１５を含有する波長変換部材含有スペーサ２３との両方を備えている点である。波長変換部材含有スペーサ２３は、実施形態９と同じ構成のものを使用し、スペーサ２１の厚さと波長変換部材含有スペーサ２３の厚さとの和が、実施形態９の波長変換部材含有スペーサ２３の厚さと同じになるようにした。
【０２２４】
（発光スペクトル）
図４２は、本実施形態に係る光照射用基板１にスペーサ２１と波長変換部材含有スペーサ２３との両方を取り付けたときの発光スペクトルの一例を示すグラフである。
【０２２５】
スペーサ２１と波長変換部材含有スペーサ２３との両方を備えていることにより、前記実施形態９にて示した図４２と同様に、出射光には、ＬＥＤチップ５が発する第１波長域光と、第１波長域光により励起された、波長変換部材含有スペーサ２３内の、（Ｂａ，Ｓｒ）Ｓｉ２Ｏ４：Ｅｕ蛍光体が発する第２波長域光とが含まれていることがわかる。
【０２２６】
なお、波長変換部材含有スペーサ２３において、（Ｂａ，Ｓｒ）Ｓｉ２Ｏ４：Ｅｕ蛍光体のシリコーン系透明樹脂に対する重量比を変えることによって、第１波長域光と第２波長域光との比率を、自由に変えることが可能である。
【０２２７】
また、混合する、（Ｂａ，Ｓｒ）Ｓｉ２Ｏ４：Ｅｕ蛍光体のシリコーン系透明樹脂に対する重量比を変えた波長変換部材含有スペーサ２３を予め用意することによって、所望の波長変換部材含有スペーサ２３を組み合わせることにより、第１波長域光と第２波長域光との比率を自由に変えることも可能である。
【０２２８】
例えば、第１ＬＥＤチップのみを実装した光照射用基板１を準備しておく。これにより、（Ｂａ，Ｓｒ）Ｓｉ２Ｏ４：Ｅｕ蛍光体のシリコーン系透明樹脂に対する重量比を変えた波長変換部材含有スペーサ２３を用意した場合、同じく第１波長域光と第２波長域光との比率を自由に変えることができ、色々な波長の光を発するようにすることができる。
【０２２９】
言い換えれば、波長変換部材含有スペーサ２３を別の製品として個別に譲渡することができる。また、大量生産における歩留、作業容易性の点でも有利である。
【０２３０】
また、光線力学治療現場において、患者の皮膚疾患に応じた、第２波長域光のスペクトルを適宜選択し、カスタマイズされた治療をすることも可能となる。
【０２３１】
なお、図４３では、光照射用基板１の上に、スペーサ２１、その上に波長変換部材含有スペーサ２３を配置しているが、同様の思想において、光照射用基板１の上に、波長変換部材含有スペーサ２３、およびその上にスペーサ２１を配置することも可能である。その場合、スペーサ２１は皮膚に直接接触することを考えて、いわゆる生体適合性のある、材料とすることも可能である。
【０２３２】
〔実施形態１１〕
本発明の他の実施形態について、図４４に基づいて説明すれば、以下の通りである。本実施形態では、主に実施形態１０との差異について説明し、実施形態１０で説明した構成要素と同じ機能を有する構成要素については、同じ符号を付記し、その説明を省略する。
【０２３３】
本実施形態に係る光照射用基板１の構成は、実施形態１０と同様である。
【０２３４】
図４４は、本実施形態に係る光照射用基板１の治療への適用例を示す断面模式図である。
【０２３５】
実施形態１０との違いは、図４４に示すように、光照射用基板１に、第１スペーサ２１ａ、波長変換部材含有スペーサ２３および第２スペーサ２１ｂを備えている点である。波長変換部材含有スペーサ２３は、実施形態１０と同じ構成のものを使用し、第１スペーサ２１ａ、波長変換部材含有スペーサ２３および第２スペーサ２１ｂの厚さの和が、実施形態１０のスペーサ２１の厚さと波長変換部材含有スペーサ２３の厚さとの和と同じになるようにした。
【０２３６】
（発光スペクトル）
図４２は、本実施形態に係る光照射用基板１に、第１スペーサ２１ａ、波長変換部材含有スペーサ２３および第２スペーサ２１ｂを取り付けたときの発光スペクトルの一例を示すグラフである。
【０２３７】
第１スペーサ２１ａ、波長変換部材含有スペーサ２３および第２スペーサ２１ｂを含むことにより、前記実施形態１０にて示した図４２と同様に、出射光には、ＬＥＤチップ５が発する第１波長域光と、第１波長域光により励起された、波長変換部材含有スペーサ２３内の、（Ｂａ，Ｓｒ）Ｓｉ２Ｏ４：Ｅｕ蛍光体が発する第２波長域光とが含まれていることがわかる。
【０２３８】
なお、波長変換部材含有スペーサ２３において、（Ｂａ，Ｓｒ）Ｓｉ２Ｏ４：Ｅｕ蛍光体のシリコーン系透明樹脂に対する重量比を変えることによって、第１波長域光と第２波長域光との比率を自由に変えることが可能である。
【０２３９】
また、混合する、（Ｂａ，Ｓｒ）Ｓｉ２Ｏ４：Ｅｕ蛍光体のシリコーン系透明樹脂に対する重量比を変えた波長変換部材含有スペーサ２３を予め用意することによって、所望の波長変換部材含有スペーサ２３を組み合わせることにより、第１波長域光と第２波長域光との比率を自由に変えることも可能である。
【０２４０】
例えば、第１ＬＥＤチップのみを実装した光照射用基板１を準備しておく。これにより、（Ｂａ，Ｓｒ）Ｓｉ２Ｏ４：Ｅｕ蛍光体のシリコーン系透明樹脂に対する重量比を変えた波長変換部材含有スペーサ２３を用意した場合、同じく第１波長域光と第２波長域光との比率を自由に変えることができ、色々な波長の光を発するようにすることができる。
【０２４１】
また、光線力学治療現場において、患者の皮膚疾患に応じた、第２波長域光のスペクトルを適宜選択し、カスタマイズされた治療をすることも可能となる。
【０２４２】
さらに、波長変換部材含有スペーサ２３と第２スペーサ２１ｂとの少なくとも一方に接着性を持たせておき、これによって、波長変換部材含有スペーサ２３に第２スペーサ２１ｂを取り付けたものを予め用意しておくことができる。
【０２４３】
つまり、波長変換部材含有スペーサ２３に第２スペーサ２１ｂを取り付けたものを別の製品として個別に譲渡することができる。また、大量生産における歩留、作業容易性の点でも有利である。
【０２４４】
ここで、第１スペーサ２１ａと、波長変換部材含有スペーサ２３に第２スペーサ２１ｂを取り付けたものとの接着強度を弱くすることにより、波長変換部材含有スペーサ２３に第２スペーサ２１ｂを取り付けたものを、光線力学治療現場において、実施形態１０よりもさらに容易に、適宜交換することができる。そのことにより、第１波長域光と第２波長域光とをさらに容易にカスタマイズすることが可能である。
【０２４５】
加えて、さらにスペーサ２１を追加したり、波長変換部材含有スペーサ２３を追加したりすることも可能である。
【０２４６】
（効果）
本実施形態において、Ｕ１＝０．８３、Ｕ２＝０．８１が得られた。
【０２４７】
今回開示された実施の形態及び実施例はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０２４８】
〔まとめ〕
本発明の態様１に係る光照射装置は、少なくとも１個のＬＥＤ光源をフレキシブル基板に二次元配置してなるＬＥＤ光源群を備えており、上記ＬＥＤ光源群が出射する光は、３８０ｎｍ以上４３０ｎｍ以下の波長範囲に発光強度のピークを有する第１波長域光と、４３０ｎｍよりも波長が長く、６３５ｎｍ以下の波長範囲に発光強度のピークを有する第２波長域光とを含んでおり、上記ＬＥＤ光源群は面内光照射強度が均一である。
【０２４９】
上記の構成によれば、比較的小さな疾患部の治療に適した、平坦では無い患部に対しても、ほぼ均一で効率的な光照射を実現することができる光照射装置を提供することができる。上記の構成によれば、光照射による副作用を最小限に抑制しつつ、効率的で均一な光照射を実現することができるので、患者や家族の負担を抑えた光治療効果を実現することができる。上記の構成によれば、患部の大きさに応じて、切り取ることが可能な光治療器を提供することができる。
【０２５０】
本発明の態様２に係る光照射装置は、上記態様１において、少なくとも１個の上記ＬＥＤ光源は、上記第１波長域光を出射するＬＥＤ素子（ＬＥＤチップ５）と、上記ＬＥＤ素子が出射した上記第１波長域光を吸収して、上記第２波長域光を放出する波長変換部材とを有していることが好ましい。
【０２５１】
上記の構成によれば、光照射装置が、第１波長域光と第２波長域光との両方を出射することができる。
【０２５２】
本発明の態様３に係る光照射装置は、上記態様２において、上記波長変換部材は蛍光体であり、上記蛍光体は、一般式ＢａＳｉ２（Ｏ，Ｃｌ）２Ｎ２：Ｅｕ、（Ｂａ，Ｓｒ）ＭｇＡｌ１０Ｏ１７：Ｅｕ,Ｍｎ、（Ｂａ，Ｓｒ）Ｓｉ２Ｏ４：Ｅｕ、Ｓｒ４Ａｌ１４Ｏ２５：Ｅｕ、ＳｒＡｌ２Ｏ４：Ｅｕ、（Ｓｒ，Ａｌ）６（Ｏ，Ｎ）８：Ｅｕ、（Ｌｕ，Ｙ，Ｇｄ）３（Ａｌ，Ｇａ）５Ｏ１２：Ｃｅ、Ｌａ３Ｓｉ６Ｎ１１：Ｃｅ、（Ｓｒ，Ｃａ）ＡｌＳｉＮ３：ＥｕおよびＫ２ＳｉＦ６：Ｍｎのうち、少なくとも１種の材料によって構成されていることが好ましい。
【０２５３】
上記の構成によれば、蛍光体を用いて波長変換部材を実現することができる。
【０２５４】
本発明の態様４に係る光照射装置は、上記態様１において、上記ＬＥＤ光源群は、上記ＬＥＤ光源の１個であり、上記第１波長域光を出射する第１ＬＥＤ素子（第１ＬＥＤチップ５ａ）と、上記第１ＬＥＤ素子とは異なる上記ＬＥＤ光源の１個であり、上記第２波長域光を出射する第２ＬＥＤ素子（第２ＬＥＤチップ５ｂ）とを備えていることが好ましい。
【０２５５】
上記の構成によれば、光照射装置が、第１波長域光と第２波長域光との両方を出射することができる。
【０２５６】
本発明の態様５に係る光照射装置は、上記態様４において、上記ＬＥＤ光源群は、上記第１ＬＥＤ素子および上記第２ＬＥＤ素子をそれぞれ複数備えており、第１方向と上記第１方向に対して垂直な第２方向との両方について、２個の上記第１ＬＥＤ素子の間に１個の上記第２ＬＥＤ素子が配置されていると共に、２個の上記第２ＬＥＤ素子の間に１個の上記第１ＬＥＤ素子が配置されていることが好ましい。
【０２５７】
上記の構成によれば、第１ＬＥＤ素子と第２ＬＥＤ素子とを交互に配置することができ、これにより、より均一な光照射を実現することができる。
【０２５８】
本発明の態様６に係る光照射装置は、上記態様５において、上記第１ＬＥＤ素子と第２ＬＥＤ素子は同一配線パターンに配置されて、それぞれ上記ＬＥＤ光源を構成することが好ましい。
【０２５９】
上記の構成によれば、第１波長域光と第２波長域光との両方を出射することができる。
【０２６０】
本発明の態様７に係る光照射装置は、上記態様６において、上記第２ＬＥＤ素子の重心が上記第１ＬＥＤ素子の中心位置と一致することが好ましい。
【０２６１】
上記の構成によれば、第１ＬＥＤ素子と第２ＬＥＤ素子を一つのユニットとして、より均一な光照射を実現することができる。
【０２６２】
本発明の態様８に係る光照射装置は、上記態様４において、上記ＬＥＤ光源群は、少なくとも２個の第２ＬＥＤ素子を備えており、上記第１ＬＥＤ素子および上記２個の第２ＬＥＤ素子の上面視は矩形であり、上記２個の第２ＬＥＤ素子の間に１個の上記第１ＬＥＤ素子が配置されており、上記２個の第２ＬＥＤ素子における上記矩形の各辺と上記１個の第１ＬＥＤ素子における上記矩形の各辺とが対向しないように配置されていることが好ましい。
【０２６３】
上記の構成によれば、第１ＬＥＤ素子の発する光に対する、第２ＬＥＤ素子の吸収が最小限となるので、第１波長域光を更に増大させることができる。
【０２６４】
本発明の態様９に係る光照射装置は、上記態様２において、前記ＬＥＤ素子を二次元配置したフレキシブル基板の出射光側表面には、少なくとも一層のスペーサが備えられていると共に、前記波長変換部材は蛍光体であり、前記少なくとも一層のスペーサのうちの少なくとも一層のスペーサ内に前記蛍光体が含有されているとすることができる。
【０２６５】
上記の構成によれば、ＬＥＤ素子を二次元配置したフレキシブル基板を１つ用意しておけば、波長変換部材としての蛍光体を含有したスペーサを取り替えることが可能となる。
【０２６６】
この結果、第２波長域光の波長域を異ならせたい場合に、種類の異なる蛍光体を含有したスペーサを用意しておけば、ＬＥＤ素子を二次元配置したフレキシブル基板と蛍光体を含有したスペーサとを容易に組み合わせて、所望の波長域の出射光を容易に得ることができる。
【０２６７】
本発明の態様１０に係る光照射装置は、上記態様９において、前記スペーサは、前記ＬＥＤ素子を二次元配置したフレキシブル基板に脱着可能となっていることが好ましい。
【０２６８】
上記の構成によれば、例えば、種類の異なる蛍光体を含有したスペーサを複数種類用意しておけば、ユーザにおいても、スペーサをフレキシブル基板に脱着することにより、所望の波長域の出射光を容易に得ることができる。
【０２６９】
本発明の態様１１に係る光治療器は、上記態様１から１０のいずれかの光照射装置を備えている。
【０２７０】
上記の構成によれば、上記の各光照射装置と同様の効果を奏する光治療器を実現することができる。
【０２７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０２７２】
１      光照射用基板（光照射装置）
２      フレキシブル基板
３    絶縁分離溝
４      配線
５      ＬＥＤチップ（ＬＥＤ素子）
５ａ    第１ＬＥＤチップ（第１ＬＥＤ素子）
５ｂ    第２ＬＥＤチップ（第２ＬＥＤ素子）
６      ボンディングワイヤ
７      ＬＥＤ保護樹脂
８      裏側配線
８ａ    第１ＬＥＤチップ用裏側配線
８ｂ    第２ＬＥＤチップ用裏側配線
９      接続部シール
１０      外部接続部
１０ａ    カソード外部接続部
１０ｂ    アノード外部接続部
１０ｃ    第１ＬＥＤチップ用カソード外部接続部
１０ｄ    第１ＬＥＤチップ用アノード外部接続部
１０ｅ    第２ＬＥＤチップ用カソード外部接続部
１０ｆ    第２ＬＥＤチップ用アノード外部接続部
１１      接続穴
１２      銀メッキ層
１３      銅メッキ層
１４      第１導電材料パターン
１５      波長変換部材
１６      ＬＥＤ保護樹脂ドーム
１７      マウス
１８      治療光
１９      皮膚
２０      患部
２１      スペーサ
２１ａ    第１スペーサ
２１ｂ    第２スペーサ
２２      カット可能ライン
２３      波長変換部材含有スペーサ
【図１】
2017110194.tif 000003
【図２】
2017110194.tif 000004
【図３】
2017110194.tif 000005
【図４】
2017110194.tif 000006
【図５】
2017110194.tif 000007
【図６】
2017110194.tif 000008
【図７】
2017110194.tif 000009
【図８】
2017110194.tif 000010
【図９】
2017110194.tif 000011
【図１０】
2017110194.tif 000012
【図１１】
2017110194.tif 000013
【図１２】
2017110194.tif 000014
【図１３】
2017110194.tif 000015
【図１４】
2017110194.tif 000016
【図１５】
2017110194.tif 000017
【図１６】
2017110194.tif 000018
【図１７】
2017110194.tif 000019
【図１８】
2017110194.tif 000020
【図１９】
2017110194.tif 000021
【図２０】
2017110194.tif 000022
【図２１】
2017110194.tif 000023
【図２２】
2017110194.tif 000024
【図２３】
2017110194.tif 000025
【図２４】
2017110194.tif 000026
【図２５】
2017110194.tif 000027
【図２６】
2017110194.tif 000028
【図２７】
2017110194.tif 000029
【図２８】
2017110194.tif 000030
【図２９】
2017110194.tif 000031
【図３０】
2017110194.tif 000032
【図３１】
2017110194.tif 000033
【図３２】
2017110194.tif 000034
【図３３】
2017110194.tif 000035
【図３４】
2017110194.tif 000036
【図３５】
2017110194.tif 000037
【図３６】
2017110194.tif 000038
【図３７】
2017110194.tif 000039
【図３８】
2017110194.tif 000040
【図３９】
2017110194.tif 000041
【図４０】
2017110194.tif 000042
【図４１】
2017110194.tif 000043
【図４２】
2017110194.tif 000044
【図４３】
2017110194.tif 000045
【図４４】
2017110194.tif 000046
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
少なくとも１個のＬＥＤ光源をフレキシブル基板に二次元配置してなるＬＥＤ光源群を備えており、
上記ＬＥＤ光源群が出射する光は、
３８０ｎｍ以上４３０ｎｍ以下の波長範囲に発光強度のピークを有する第１波長域光と、
４３０ｎｍよりも波長が長く、６３５ｎｍ以下の波長範囲に発光強度のピークを有する第２波長域光とを含んでおり、
少なくとも１個の上記ＬＥＤ光源は、
上記第１波長域光を出射する第１ＬＥＤ素子と、
上記第１ＬＥＤ素子が出射した上記第１波長域光を吸収して、上記第２波長域光を放出する波長変換部材とを有しており、
上記第１ＬＥＤ素子を二次元配置したフレキシブル基板の出射光側表面には、少なくとも一層のスペーサが備えられていると共に、
上記少なくとも一層のスペーサのうちの少なくとも一層のスペーサは、波長変換部材が含有されているスペーサであることを特徴とする光照射装置。
【請求項２】
上記第１ＬＥＤ素子から患部までの構成要素の厚みの合計値は、上記第１ＬＥＤ素子間のピッチの平均値の０．５倍以上であることを特徴とする請求項１に記載の光照射装置。
【請求項３】
上記第１ＬＥＤ素子から患部までの構成要素の厚みの合計値は、上記第１ＬＥＤ素子間のピッチの平均値の０．８倍以上であることを特徴とする請求項１又は２に記載の光照射装置。
【請求項４】
上記第１ＬＥＤ素子から患部までの構成要素の厚みの合計値は、上記第１ＬＥＤ素子間のピッチの平均値の２倍以下であることを特徴とする請求項１から３のいずれか１項に記載の光照射装置。
【請求項５】
上記波長変換部材は、蛍光体であることを特徴とする請求項１から４のいずれか１項に記載の光照射装置。
【請求項６】
上記第１ＬＥＤ素子は、上記第１波長域光に対して透明性を有する樹脂に覆われており、上記スペーサは、上記樹脂から脱着可能であることを特徴とする請求項１から５のいずれか１項に記載の光照射装置。
【請求項７】
患者の皮膚疾患に応じた、上記第２波長域光のスペクトルを適宜選択し、治療可能であることを特徴とする請求項１から６のいずれか１項に記載の光照射装置。
【請求項８】
上記波長変換部材が含有されているスペーサを組み合わせて、上記第１波長域光と上記第２波長域光との比率を変えることが可能であることを特徴とする請求項１から７のいずれか１項に記載の光照射装置。
【請求項９】
少なくとも１個のＬＥＤ光源をフレキシブル基板に二次元配置してなるＬＥＤ光源群を備えており、
上記ＬＥＤ光源群が出射する光は、
３８０ｎｍ以上４３０ｎｍ以下の波長範囲に発光強度のピークを有する第１波長域光と、
４３０ｎｍよりも波長が長く、６３５ｎｍ以下の波長範囲に発光強度のピークを有する第２波長域光とを含んでおり、
上記ＬＥＤ光源群は、
上記ＬＥＤ光源の１個であり、上記第１波長域光を出射する第１ＬＥＤ素子と、
上記第１ＬＥＤ素子とは異なる上記ＬＥＤ光源の１個であり、上記第２波長域光を出射する第２ＬＥＤ素子とを備えており、
上記ＬＥＤ光源群の出射光側表面には、少なくとも一層のスペーサが備えられていることを特徴とする光照射装置
【請求項１０】
上記第１ＬＥＤ素子および第２ＬＥＤ素子から患部までの構成要素の厚みの合計値は、上記ＬＥＤ光源間のピッチの平均値の０．５倍以上であることを特徴とする請求項９に記載の光照射装置。
【請求項１１】
上記第１ＬＥＤ素子および第２ＬＥＤ素子から患部までの構成要素の厚みの合計値は、上記ＬＥＤ光源間のピッチの平均値の０．８倍以上であることを特徴とする請求項９又は１０に記載の光照射装置。
【請求項１２】
上記第１ＬＥＤ素子および第２ＬＥＤ素子から患部までの構成要素の厚みの合計値は、上記ＬＥＤ光源間のピッチの平均値の２倍以下であることを特徴とする請求項９から１１のいずれか１項に記載の光照射装置。
【請求項１３】
上記ＬＥＤ光源群は、少なくとも２個の第２ＬＥＤ素子を備えており、
上記第１ＬＥＤ素子および上記２個の第２ＬＥＤ素子の上面視は矩形であり、
上記２個の第２ＬＥＤ素子の間に１個の上記第１ＬＥＤ素子が配置されており、
上記２個の第２ＬＥＤ素子における上記矩形の各辺と上記１個の第１ＬＥＤ素子における上記矩形の各辺とが対向しないように配置されていることを特徴とする請求項９から１２のいずれか１項に記載の光照射装置。
【請求項１４】
上記第２ＬＥＤ素子のピーク波長が４７０ｎｍ以上であることを特徴とする請求項９から１３のいずれか１項に記載の光照射装置。
【請求項１５】
上記２個の第２ＬＥＤ素子の重心が上記１個の第１ＬＥＤチップ５ａの位置に一致していることを特徴とする請求項９から１４のいずれか１項に記載の光照射装置。
【請求項１６】
上記第１ＬＥＤ素子および上記第２ＬＥＤ素子は、上記第１波長域光および上記第２波長域光に対して透明性を有する樹脂に覆われており、上記スペーサは、上記樹脂から脱着可能であることを特徴とする請求項９から１５のいずれか１項に記載の光照射装置。
【請求項１７】
請求項１から１６のいずれか１項に記載の光照射装置を備えていることを特徴とする光治療器。
【国際調査報告】
2017110194.tif 000047
2017110194.tif 000048
2017110194.tif 000049
2017110194.tif 000050